(57)【要約】  製造方法であって、ハウジングアセンブリが、チャンバを画定し、かつチャンバ内に電子モジュールを取り外し可能に受容するためにチャンバへのアクセスを提供するアクセス開口部を有する、容器を含む。ハウジングアセンブリは、第１および第２の接点部材をさらに含み、各々は、チャンバの外側に位置付けられた接点パッドと、接点パッドからチャンバ内に延在して、チャンバに露出されるインターフェースの電気接点を形成するアームと、を有する。本方法は、導電性リードを接点パッドに接続して、リードを接点と電気通信状態に配置することと、ハウジングアセンブリを着用可能な物品に接合することと、を含む。ハウジングアセンブリは、着用可能な物品の一部分を形成する材料の上層と底層との間で接合され、それにより、上層および底層は、接合材料によって容器に接合される。物品は、電動構成要素を有し、リードは、構成要素に接続される。【選択図】図８１
2020517009.tif 000002
【特許請求の範囲】
【請求項１】
方法であって、
チャンバを画定し、かつ前記チャンバへのアクセスを提供するアクセス開口部を有する、容器を備えるハウジングアセンブリを提供することであって、それにより、容器が、電子モジュールを、前記アクセス開口部を介した前記電子モジュールの挿入によって前記チャンバ内で取り外し可能に受容するように構成され、前記ハウジングアセンブリが、前記チャンバの外側に位置付けられた第１の接点パッドおよび前記第１の接点パッドから前記チャンバ内に延在して第１の電気接点を形成する第１のアームを備える第１の接点部材と、前記チャンバの外側に位置付けられた第２の接点パッドおよび前記第２の接点パッドから前記チャンバ内に延在して第２の電気接点を形成する第２のアームを備える第２の接点部材と、をさらに備え、それにより、前記第１および第２の電気接点が、前記チャンバに対して露出され、かつ前記電子モジュールが前記容器内に受容されたときに前記電子モジュールのコネクタとの接続のために構成されたインターフェースを形成する、提供することと、
第１の導電性リードを前記第１の接点パッドに接続し、第２の導電性リードを前記第２の接点パッドに接続して、前記第１および第２のリードを前記第１および第２の電気接点との電気通信状態に配置することと、
前記ハウジングアセンブリを着用可能な物品に、前記着用可能な物品の少なくとも一部分を形成する材料の上層と底層との間で接合することであって、それにより、前記上層および前記底層が、接合材料によって前記容器に接合されることと、を含み、前記着用可能な物品が、電動構成要素を有し、前記第１および第２の導電性リードが、前記電動構成要素に接続される、方法。
【請求項２】
前記ハウジングアセンブリを組み立てることをさらに含み、前記ハウジングアセンブリを組み立てることが、前記第１および第２の接点部材をキャリア上に装着することと、前記キャリアを前記容器内の空洞内に挿入して、前記キャリアを前記容器と係合させ、それにより、前記キャリアが、前記第１および第２の電気接点を支持して、前記インターフェースを形成することと、を含み、前記第１のアームおよび前記第２のアームが、前記容器の外側に延在し、それにより、前記第１の接点パッドおよび前記第２の接点パッドが、前記容器の外面に隣接して位置付けられる、請求項１に記載の方法。
【請求項３】
少なくとも前記第１の接点パッドおよび前記第２の接点パッドを絶縁材料によって被覆することをさらに含む、請求項１に記載の方法。
【請求項４】
前記接合材料が、ヒートシール性材料であり、前記ハウジングアセンブリを前記着用可能な物品に接合することが、前記ヒートシール性材料を前記容器と前記上層および底層との間に配置することと、前記上層および前記底層を前記容器に熱プレスすることと、を含む、請求項１に記載の方法。
【請求項５】
前記容器が、前記容器の外周の周囲に外向きに延在するフランジを備え、前記熱プレスすることが、前記容器の前記フランジの少なくとも周囲に適用される、請求項４に記載の方法。
【請求項６】
前記上層および前記底層が、異なる材料で形成される、請求項１に記載の方法。
【請求項７】
前記上層が、使用時に前記着用可能な物品の外面を形成する、請求項１に記載の方法。
【請求項８】
前記アクセス開口部が、前記容器の上側上にあり、前記第１および第２のアームが、前記上側とは反対の前記容器の底側から延在し、前記底層が、前記着用可能な物品が使用中であるときに、前記上層の内側に位置付けられ、前記上層は、前記アクセス開口部が前記着用可能な物品の外側からアクセス可能であるように、前記容器の前記上側の少なくとも一部分を被覆する、請求項１に記載の方法。
【請求項９】
前記上層の一部分が、前記アクセス開口部内に延在し、前記チャンバを画定する前記容器の内面に接合される、請求項８に記載の方法。
【請求項１０】
前記第１および第２の導電性リードが、使用中の前記着用可能な物品の内面の内側の場所で前記第１および第２の接点パッドに接続される、請求項８に記載の方法。
【請求項１１】
方法であって、
チャンバを画定し、かつ前記チャンバへのアクセスを提供するアクセス開口部を有する、容器を備えるハウジングアセンブリを提供することであって、それにより、容器が、電子モジュールを、前記アクセス開口部を介した前記電子モジュールの挿入によって前記チャンバ内で取り外し可能に受容するように構成され、前記ハウジングアセンブリが、前記チャンバの外側に位置付けられた第１の接点パッド、および前記第１の接点パッドから前記チャンバ内に延在して第１の電気接点を形成する第１のアームを備える、第１の接点部材と、前記チャンバの外側に位置付けられた第２の接点パッド、および前記第２の接点パッドから前記チャンバ内に延在して第２の電気接点を形成する第２のアームを備える、第２の接点部材と、をさらに備え、それにより、前記第１および第２の電気接点が、前記チャンバに対して露出され、かつ前記電子モジュールが前記容器内に受容されたときに前記電子モジュールのコネクタとの接続のために構成されたインターフェースを形成する、提供することと、
前記ハウジングアセンブリを着用可能な物品に、前記着用可能な物品の少なくとも一部分を形成する材料の上層と底層との間で接合することであって、それにより、前記上層および前記底層が、接合材料によって前記容器に接合されることと、を含み、前記底層が、前記着用可能な物品が使用中であるときに、前記上層の内側に位置付けられ、前記第１のアームおよび前記第２のアームが、前記底層を通って延在し、前記着用可能な物品の内面に隣接して位置付けられる、方法。
【請求項１２】
前記アクセス開口部が、前記容器の上側上にあり、前記第１および第２のアームが、前記上側とは反対の前記容器の底側から延在し、前記上層は、前記アクセス開口部が前記着用可能な物品の外側からアクセス可能であるように、前記容器の前記上側の少なくとも一部分を被覆する、請求項１１に記載の方法。
【請求項１３】
前記上層の一部分が、前記アクセス開口部内に延在し、前記チャンバを画定する前記容器の内面に接合される、請求項１２に記載の方法。
【請求項１４】
前記底層が、使用中に前記着用可能な物品の前記内面を形成する、請求項１１に記載の方法。
【請求項１５】
前記第１および第２の接点パッドが、前記第１および第２のアームよりも大きい幅を有する、請求項１１に記載の方法。
【請求項１６】
前記ハウジングアセンブリを組み立てることをさらに含み、前記ハウジングアセンブリを組み立てることが、前記第１および第２の接点部材をキャリア上に装着することと、前記キャリアを前記容器内の空洞内に挿入して、前記キャリアを前記容器と係合させ、それにより、前記キャリアが、前記第１および第２の電気接点を支持して、前記インターフェースを形成することと、を含み、前記第１のアームおよび前記第２のアームが、前記容器の外側に延在する、請求項１１に記載の方法。
【請求項１７】
少なくとも前記第１の接点パッドおよび前記第２の接点パッド、ならびに前記着用可能な物品の前記内面の一部分を絶縁材料で被覆することをさらに含む、請求項１１に記載の方法。
【請求項１８】
前記接合材料が、ヒートシール性材料であり、前記ハウジングアセンブリを前記着用可能な物品に接合することが、前記ヒートシール性材料を前記容器と前記上層および底層との間に配置することと、前記上層および前記底層を前記容器に熱プレスすることと、を含む、請求項１１に記載の方法。
【請求項１９】
前記容器が、前記容器の外周の周囲に外向きに延在するフランジを備え、前記熱プレスすることが、前記容器の前記フランジの少なくとも周囲に適用される、請求項１８に記載の方法。
【請求項２０】
第１の導電性リードを前記第１の接点パッドに接続し、第２の導電性リードを前記第２の接点パッドに接続して、前記第１および第２のリードを前記第１および第２の電気接点との電気通信状態に配置することをさらに含み、前記着用可能な物品が、電動構成要素を有し、前記第１および第２の導電性リードが、前記電動構成要素に接続される、請求項１１に記載の方法。
【請求項２１】
方法であって、
チャンバを画定する容器を備え、かつ前記容器が、前記容器の上側上に前記チャンバへのアクセスを提供するアクセス開口部を有する、ハウジングアセンブリを提供することであって、それにより、容器が、電子モジュールを、前記アクセス開口部を介した前記電子モジュールの挿入によって前記チャンバ内で取り外し可能に受容するように構成され、前記ハウジングアセンブリが、前記チャンバに露出された第１の電気接点を備える第１の接点部材と、前記チャンバに露出された第２の電気接点を備える第２の接点部材と、をさらに備え、それにより、前記第１および第２の電気接点が、前記チャンバに対して露出され、かつ前記電子モジュールが前記容器内に受容されたときに前記電子モジュールのコネクタとの接続のために構成されたインターフェースを形成する、提供することと、
前記ハウジングアセンブリを着用可能な物品に、前記着用可能な物品の少なくとも一部分を形成する材料の上層と底層との間で接合することであって、それにより、前記上層および前記底層が、接合材料によって前記容器に接合され、前記上層が前記容器の前記上側の少なくとも一部分を被覆することと、を含み、前記底層が、前記着用可能な物品が使用中であるときに、前記上層の内側に位置付けられ、前記アクセス開口部が、前記着用可能な物品の外面からアクセス可能である、方法。
【請求項２２】
前記接合材料が、ヒートシール性材料であり、前記ハウジングアセンブリを前記着用可能な物品に接合することが、前記ヒートシール性材料を前記容器と前記上層および底層との間に配置することと、前記上層および前記底層を前記容器に熱プレスすることと、を含む、請求項２１に記載の方法。
【請求項２３】
前記容器が、前記容器の外周の周囲に外向きに延在するフランジを備え、前記熱プレスすることが、前記容器の前記フランジの少なくとも周囲に適用される、請求項２２に記載の方法。
【請求項２４】
前記上層が、使用中に前記着用可能な物品の前記外面を形成する、請求項２１に記載の方法。
【請求項２５】
システムであって、
ユーザの身体上に着用されるように構成された着用可能な物品であって、前記着用可能な物品が、少なくともその一部分を形成する材料の上層および底層を有する、着用可能な物品と、
容器であって、チャンバを画定し、前記容器が、前記容器の上側上に前記チャンバへのアクセスを提供するアクセス開口部を有し、それにより、容器が、電子モジュールを、前記アクセス開口部を介した前記電子モジュールの挿入によって前記チャンバ内で取り外し可能に受容するように構成されている、容器と、
前記チャンバの外側に位置付けられた第１の接点パッド、および前記第１の接点パッドから前記チャンバ内に延在して第１の電気接点を形成する第１のアームを備える、第１の接点部材と、
前記チャンバの外側に位置付けられた第２の接点パッド、および前記第２の接点パッドから前記チャンバ内に延在して第２の電気接点を形成する第２のアームを備え、それにより、前記第１および第２の電気接点が、前記チャンバに対して露出され、かつ前記電子モジュールが前記容器内に受容されたときに前記電子モジュールのコネクタとの接続のために構成されたインターフェースを形成する、第２の接点部材と、を備え、
前記容器が、前記上層と前記底層との間で前記着用可能な物品に接合され、それにより、前記上層および前記底層が、接合材料によって前記容器に接合され、前記アクセス開口部が、前記着用可能な物品の外面からアクセス可能であり、前記上層が、前記容器の前記上側の少なくとも一部分を被覆し、前記上層の一部分が、前記アクセス開口部内に延在し、かつ前記チャンバを画定する前記容器の内面に接合され、前記上層が、前記上層を通って前記インターフェースへのアクセスを可能にする開口部を有し、前記底層が、前記容器の底側の少なくとも一部分を被覆し、それにより、前記第１および第２のアームが、前記底層を通って延在して、前記第１および第２の接点パッドを前記底層の内側に位置付ける、システム。
【請求項２６】
前記上層が、使用中に前記着用可能な物品の外面を形成し、前記底層が、使用中に前記着用可能な物品の内面を形成する、請求項２５に記載のシステム。
【請求項２７】
少なくとも前記第１および第２の接点パッド、ならびに前記第１および第２の接点パッドに隣接する前記着用可能な物品の前記内面の一部分を被覆する絶縁材料をさらに備える、請求項２６に記載のシステム。
【請求項２８】
前記接合材料が、前記容器と前記上層および底層との間に位置し、前記容器に熱プレスされる、ヒートシール性材料である、請求項２５に記載のシステム。
【請求項２９】
前記容器が、前記容器の外周の周囲に外向きに延在するフランジを備え、前記上層および底層が、前記容器の前記フランジの少なくとも周囲で前記容器に接合されている、請求項２５に記載のシステム。
【請求項３０】
前記容器と、上部に装着された前記第１および第２の接点部材を有するキャリアと、をさらに備え、前記キャリアが、前記容器内の空洞内に受容されて、前記キャリアを前記容器と係合させ、それにより、前記キャリアが、前記第１および第２の電気接点を支持して、前記インターフェースを形成する、請求項２５に記載のシステム。
【発明の詳細な説明】
【技術分野】
【０００１】
本発明は、衣服に関する。本開示の態様は、より具体的には、動作可能なまま衣服の物品内に保持され、衣服の物品の外側から部分的に視認可能であり得る、電子デバイスを組み込む衣服の物品に関する。
【０００２】
関連出願の相互参照
本出願は、２０１７年４月１２日出願の米国仮特許出願第６２／４８４，７２５号に対する優先権およびその利益を主張し、本先願は、その全体が本明細書に組み込まれる。
【背景技術】
【０００３】
ランニングなどの肉体的活動を行うとき、運動選手は、その活動に対する集中を維持することを望む。多くのモバイルデバイスが、運動競技または健康に関連する情報を提供する「ａｐｐ」またはモジュールを含むように更新され得るが、それらは、多くの場合、激しい肉体的活動中の人を含む多くの運動選手にとって効果的ではない。携帯電話または音楽プレーヤなどの電子デバイスをポケットから取り出して、そのデバイスを操作することは、運動選手の気を散らしている場合がある。加えて、運動選手は、デバイスをポケットから取り出すまたは置き換えるために手探りしている間に、デバイスを落とすことがある。さらに、限定されるものではないが、職業選手、半職業選手、およびリーグ選手を含む多くの運動選手は、規則および規定に縛られ、これは、試合またはトーナメント中にアスリートによって着用される材料を大幅に制約し得る。残念なことに、歴史的に許容可能な衣服は、運動競技検知デバイスの信頼性の高い受信を可能にするように設計されていなかった。本開示は、先行技術のこれらの、および他の欠点に対処する。
【発明の概要】
【０００４】
本開示の一般的態様は、ハウジングアセンブリを衣服の物品または他の着用可能な物品に接続するための方法および構造、ならびに接続されたハウジングアセンブリを有する物品、および潜在的にハウジングアセンブリに接続された、または別様にその中に受容された電子モジュールに関する。
【０００５】
本開示の態様は、チャンバを画定し、かつチャンバへのアクセスを提供するアクセス開口部を有する容器を含み、それにより、容器が、アクセス開口部を介した電子モジュールの挿入によってチャンバ内に電子モジュールを取り外し可能に受容するように構成されている、ハウジングアセンブリとともに使用するための方法に関する。ハウジングアセンブリは、チャンバの外側に位置付けられた第１の接点パッドおよび第１の接点パッドからチャンバ内に延在して第１の電気接点を形成する第１のアームを有する第１の接点部材と、チャンバの外側に位置付けられた第２の接点パッドおよび第２の接点パッドからチャンバ内に延在して第２の電気接点を形成する第２のアームを有する第２の接点部材と、をさらに含み、それにより、第１および第２の電気接点は、チャンバに対して露出され、かつ電子モジュールが容器内に受容されたときに電子モジュールのコネクタとの接続のために構成されたインターフェースを形成する。本方法は、第１の導電性リードを第１の接点パッドに接続し、第２の導電性リードを第２の接点パッドに接続して、第１および第２のリードを第１および第２の電気接点との電気通信状態に配置することと、ハウジングアセンブリを着用可能な物品に接合することと、を含む。ハウジングアセンブリは、着用可能な物品の少なくとも一部分を形成する材料の上層と底層との間で接合され、それにより、上層および底層は、接合材料によって容器に接合される。着用可能な物品は、電動構成要素を有し、第１および第２の導電性リードは、構成要素に接続される。
【０００６】
一態様によると、本方法は、ハウジングアセンブリを組み立てることをさらに含む。この組み立てることは、第１および第２の接点部材をキャリア上に装着することと、キャリアを容器内の空洞内に挿入して、キャリアを容器と係合させ、それにより、キャリアが、第１および第２の電気接点を支持して、インターフェースを形成することと、を含み得る。第１のアームおよび第２のアームは、容器の外側に延在し、それにより、第１の接点パッドおよび第２の接点パッドが、容器の外面に隣接して位置付けられる。
【０００７】
別の態様によると、本方法は、少なくとも第１の接点パッドおよび第２の接点パッドを絶縁材料で被覆することをさらに含む。
【０００８】
さらなる態様によると、接合材料は、ヒートシール性材料であり、ハウジングアセンブリを着用可能な物品に接合することは、ヒートシール性材料を容器と上層および底層との間に配置することと、上層および底層を容器に熱プレスすることと、を含む。一構成では、容器は、容器の外周の周囲に外向きに延在するフランジを有し、熱プレスは、容器のフランジの少なくとも周囲に適用される。
【０００９】
さらに追加の態様によると、上層および底層は、異なる材料で形成される、および／または上層は、使用中に着用可能な物品の外面を形成する。
【００１０】
またさらなる態様によると、アクセス開口部は、容器の上側上にあり、第１および第２のアームは、上側とは反対の容器の底側から延在し、底層は、着用可能な物品が使用中であるときに、上層の内側に位置付けられ、上層は、アクセス開口部が着用可能な物品の外側からアクセス可能であるように、容器の上側の少なくとも一部分を被覆する。一構成では、上層の一部分は、アクセス開口部内に延在し、チャンバを画定する容器の内面に接合される。別の構成では、第１および第２の導電性リードは、使用中の着用可能な物品の内面の内側の場所で第１および第２の接点パッドに接続される。
【００１１】
本開示の追加の態様は、チャンバを画定し、かつチャンバへのアクセスを提供するアクセス開口部を有する容器を含み、それにより、容器は、アクセス開口部を介した電子モジュールの挿入によってチャンバ内に電子モジュールを取り外し可能に受容するように構成されている、ハウジングアセンブリとともに使用するための方法に関する。ハウジングアセンブリは、チャンバの外側に位置付けられた第１の接点パッドおよび第１の接点パッドからチャンバ内に延在して第１の電気接点を形成する第１のアームを有する第１の接点部材と、チャンバの外側に位置付けられた第２の接点パッドおよび第２の接点パッドからチャンバ内に延在して第２の電気接点を形成する第２のアームを有する第２の接点部材と、をさらに含み、それにより、第１および第２の電気接点は、チャンバに対して露出され、かつ電子モジュールが容器内に受容されたときに電子モジュールのコネクタとの接続のために構成されたインターフェースを形成する。方法は、ハウジングアセンブリを、着用可能な物品の少なくとも一部分を形成する材料の上層と底層との間で接合し、それにより、上層および底層が、接合材料によって容器に接合されることを含む。底層は、着用可能な物品が使用中であるときに、上層の内側に位置付けられ、第１のアームおよび第２のアームは、底層を通って延在し、着用可能な物品の内面に隣接して位置付けられる。
【００１２】
一態様によると、アクセス開口部は、容器の上側上にあり、第１および第２のアームは、上側とは反対の容器の底側から延在し、上層は、アクセス開口部が着用可能な物品の外側からアクセス可能であるように、容器の上側の少なくとも一部分を被覆する。一構成では、上層の一部分が、アクセス開口部内に延在し、チャンバを画定する容器の内面に接合される。
【００１３】
追加の態様によると、底層は、使用中に着用可能な物品の内面を形成する、かつ／または第１および第２の接点パッドは、第１および第２のアームよりも大きい幅を有する。
【００１４】
別の態様によると、方法は、ハウジングアセンブリを組み立てることをさらに含む。この組み立てることは、第１および第２の接点部材をキャリア上に装着することと、キャリアを容器内の空洞内に挿入して、キャリアを容器と係合させ、それにより、キャリアが、第１および第２の電気接点を支持して、インターフェースを形成することと、を含み得、第１のアームおよび第２のアームは、容器の外側に延在する。
【００１５】
さらなる態様によると、方法は、少なくとも第１の接点パッドおよび第２の接点パッドならびに着用可能な物品の内面の一部分を絶縁材料で被覆することをさらに含む。
【００１６】
さらに別の態様によると、接合材料は、ヒートシール性材料であり、ハウジングアセンブリを着用可能な物品に接合することは、ヒートシール性材料を容器と上層および底層との間に配置することと、上層および底層を容器に熱プレスすることと、を含む。一構成では、容器は、容器の外周の周囲に外向きに延在するフランジを有し、熱プレスは、容器のフランジの少なくとも周囲に適用される。
【００１７】
またさらなる態様によると、方法は、第１の導電性リードを第１の接点パッドに接続し、第２の導電性リードを第２の接点パッドに接続して、第１および第２のリードを第１および第２の電気接点との電気通信状態に配置することをさらに含み、着用可能な物品は、電動構成要素を有し、それにより、第１および第２の導電性リードが、電動構成要素に接続される。
【００１８】
本開示のさらなる態様は、チャンバを画定する容器を含み、容器は、容器の上側上にチャンバへのアクセスを提供するアクセス開口部を有し、それにより、容器は、アクセス開口部を介した電子モジュールの挿入によってチャンバ内に電子モジュールを取り外し可能に受容するように構成されている、ハウジングアセンブリとともに使用するための方法に関する。ハウジングアセンブリは、チャンバに露出された第１の電気接点を含む第１の接点部材と、チャンバに露出された第２の電気接点を含む第２の接点部材と、をさらに含み、それにより、第１および第２の電気接点は、チャンバに対して露出され、かつ電子モジュールが容器内に受容されたときに電子モジュールのコネクタとの接続のために構成されたインターフェースを形成する。方法は、ハウジングアセンブリを、着用可能な物品の少なくとも一部分を形成する材料の上層と底層との間で接合し、それにより、上層および底層が、接合材料によって容器に接合され、上層は、容器の上側の少なくとも一部分を被覆することを含む。底層は、着用可能な物品が使用中であるときに、上層の内側に位置付けられ、アクセス開口部は、着用可能な物品の外面からアクセス可能である。
【００１９】
一態様によると、接合材料は、ヒートシール性材料であり、ハウジングアセンブリを着用可能な物品に接合することは、ヒートシール性材料を容器と上層および底層との間に配置することと、上層および底層を容器に熱プレスすることと、を含む。一構成では、容器は、容器の外周の周囲に外向きに延在するフランジを備え、熱プレスは、容器のフランジの少なくとも周囲に適用される。
【００２０】
別の態様によると、上層は、使用中に着用可能な物品の外面を形成する。
【００２１】
本開示の他の態様は、本明細書に説明される方法を使用して製造されたシステムに関する。一例では、システムは、ユーザの身体上に着用されるように構成された着用可能な物品であって、着用可能な物品は、少なくともその一部分を形成する材料の上層および底層を有する、着用可能な物品と、容器と、第１および第２の接点部材と、を含む。容器は、チャンバを画定し、容器の上側上にチャンバへのアクセスを提供するアクセス開口部を有し、それにより、容器は、電子モジュールを、アクセス開口部を介した電子モジュールの挿入によってチャンバ内で取り外し可能に受容するように構成されている。第１の接点部材は、チャンバの外側に位置付けられた第１の接点パッド、および第１の接点パッドからチャンバ内に延在して第１の電気接点を形成する第１のアームを含む。第２の接点部材は、チャンバの外側に位置付けられた第２の接点パッド、および第２の接点パッドからチャンバ内に延在して第２の電気接点を形成する第２のアームを含み、それにより、第１および第２の電気接点は、チャンバに対して露出され、かつ電子モジュールが容器内に受容されたときに電子モジュールのコネクタとの接続のために構成されたインターフェースを形成する。容器は、上層と底層との間で着用可能な物品に接合され、それにより、上層および底層は、接合材料によって容器に接合され、アクセス開口部は、着用可能な物品の外面からアクセス可能である。上層は、容器の上側の少なくとも一部分を被覆し、上層の一部分は、アクセス開口部内に延在し、チャンバを画定する容器の内面に接合され、上層は、上層を介したインターフェースへのアクセスを可能にする開口部を有する。底層は、容器の底側の少なくとも一部分を被覆し、それにより、第１および第２のアームは、底層を通って延在して、第１および第２の接点パッドを底層の内側に位置付ける。
【００２２】
一態様によると、上層は、使用中に着用可能な物品の外面を形成し、底層は、使用中に着用可能な物品の内面を形成する。一構成では、システムは、少なくとも第１および第２の接点パッドならびに第１および第２の接点パッドに隣接する着用可能な物品の内面の一部分を被覆する絶縁材料をさらに含む。
【００２３】
別の態様によると、接合材料は、容器と上層および底層との間に位置し、容器に熱プレスされる、ヒートシール性材料である。
【００２４】
さらなる態様によると、容器は、容器の外周の周囲に外向きに延在するフランジを備え、上層および底層が、容器のフランジの少なくとも周囲で容器に接合されている。
【００２５】
さらに別の態様によると、システムは、容器と、上部に装着された第１および第２の接点部材を有するキャリアと、を含み、キャリアは、容器内の空洞内に受容されて、キャリアを容器と係合させ、それにより、キャリアが、第１および第２の電気接点を支持して、インターフェースを形成する。
【００２６】
本開示の他の特徴および利点は、添付の図面と関連してなされる以下の説明から明らかになるであろう。
【図面の簡単な説明】
【００２７】
本開示のより完全な理解を可能にするために、ここで、例として、以下の添付図面を参照して説明されることになる。
【００２８】
【図１】実施形態の例による、個人トレーニングを提供する、および／またはユーザの肉体的運動からデータを取得するように構成され得るシステムの一例を例示する。
【図２】図１のシステムの一部であり得る、またはそれと通信し得るコンピュータデバイスの一例を例示する。
【図３】実施形態の例による、ユーザによって着用され得る例示的なセンサアセンブリを示す。
【図４】実施形態の例による、ユーザによって着用され得る別のセンサアセンブリの例を示す。
【図５】ユーザの衣類上／中に位置する物理的センサを含み得る、および／またはユーザの２つの動いている身体部位間の関係の識別に基づき得る、検知入力の例示的な場所を示す。
【図６】本開示の態様による、バンドの一実施形態の上面図および側面図である。
【図７】本開示の態様による、バンドの別の実施形態の上面図および側面図である。
【図８】本開示の態様による、モジュールの別の実施形態の上面斜視図である。
【図９】図７のモジュールの底面斜視図である。
【図１０】図７のモジュールの側面図である。
【図１１】本開示の態様による、バンドを製造するための型の一実施形態の斜視図である。
【図１２】長手方向軸に沿った図１１の型の断面図である。
【図１３】横軸に沿った図１１の型の断面図である。
【図１４】図１３に示される型の一部分の拡大図である。
【図１５】本開示の態様による、バンドの別の実施形態の上面図である。
【図１６】裏返された図１５のバンドの上面図である。
【図１７】裏返された図１５のバンドの上面図である。
【図１８】図１５のバンドの上面図である。
【図１９】図１５のバンドの底面図である。
【図２０】図１５〜１９に示されるバンドを製造するための構成要素の上面図である。
【図２１】図１５〜１９に示されるバンドを製造するための構成要素の上面図である。
【図２２】図１５〜１９に示されるバンドを製造するための構成要素の上面図である。
【図２３】図１５〜１９に示されるバンドのハウジングの上面図である。
【図２４】図２３のハウジングの底面図である。
【図２５】図１５〜１９に示されるバンドを製造するための追加の構成要素の上面図である。
【図２６】図１５〜１９に示されるバンドを製造するための追加の構成要素の上面図である。
【図２７】図２３のハウジングの側面図である。
【図２８】図２３のハウジングの底面斜視図である。
【図２９】図２３のハウジングの底面斜視図である。
【図３０】図２３のハウジングの上面斜視図である。
【図３１】図２３のハウジングの側面図である。
【図３２】図２０〜３１の構成要素およびハウジングを使用する、本開示の態様によるバンドを製造する方法を概略的に例示する平面図である。
【図３３】図２０〜３１の構成要素およびハウジングを使用する、本開示の態様によるバンドを製造する方法を概略的に例示する平面図である。
【図３４】図２０〜３１の構成要素およびハウジングを使用する、本開示の態様によるバンドを製造する方法を概略的に例示する平面図である。
【図３５】図２０〜３１の構成要素およびハウジングを使用する、本開示の態様によるバンドを製造する方法を概略的に例示する平面図である。
【図３６】図２０〜３１の構成要素およびハウジングを使用する、本開示の態様によるバンドを製造する方法を概略的に例示する平面図である。
【図３７】図２０〜３１の構成要素およびハウジングを使用する、本開示の態様によるバンドを製造する方法を概略的に例示する平面図である。
【図３８】図２０〜３１の構成要素およびハウジングを使用する、本開示の態様によるバンドを製造する方法を概略的に例示する平面図である。
【図３９】図２０〜３１の構成要素およびハウジングを使用する、本開示の態様によるバンドを製造する方法を概略的に例示する平面図である。
【図４０】図２０〜３１の構成要素およびハウジングを使用する、本開示の態様によるバンドを製造する方法を概略的に例示する平面図である。
【図４１】図２３のハウジングとともに、図３２〜４０の方法に関して使用可能である、本開示の態様によるバンドの一部分を熱プレスするための型の一実施形態を概略的に例示する斜視図である。
【図４２】動作時の図４１の型の使用を概略的に例示する斜視図である。
【図４３】本開示の態様による、バンドを製造する際に使用可能なハウジングの別の実施形態の上面斜視図である。
【図４４】図４３のハウジングの底面斜視図である。
【図４５】図４３のハウジングの上面斜視図である。
【図４６】本開示の態様による、バンドを製造する際に使用可能なハウジングの別の実施形態の底面斜視図である。
【図４７】図４６のハウジングの上面斜視図である。
【図４８】本開示の態様による、ハウジング、ならびにバンドおよびモジュールに関して使用可能である追加の入力デバイスの一実施形態の底面斜視図である。
【図４９】図４８のハウジングおよび追加の入力デバイスの上面斜視図である。
【図５０】本開示の態様による、バンドおよびモジュールに関して使用可能であるハウジングおよび追加の入力デバイスの一実施形態の底面斜視図である。
【図５１】図５０のハウジングおよび追加の入力デバイスの上面斜視図である。
【図５２】図４８のハウジングおよびハウジング内に挿入されている図７のモジュールの底面斜視図である。
【図５３】追加の入力デバイスとモジュールとの間の接続を示す、本開示の態様による、追加の入力デバイスおよびモジュールの別の実施形態の斜視図および分解斜視図である。
【図５４】追加の入力デバイスとモジュールとの間の接続を示す、本開示の態様による、追加の入力デバイスおよびモジュールの別の実施形態の斜視図および分解斜視図である。
【図５５】本開示の態様による、バンドに接続された追加の入力デバイスを有するバンドの一実施形態の斜視図である。
【図５６】追加のデバイスに接続され、次いで、バンドに接続されているモジュールを示す、本開示の態様による、モジュール、追加の入力デバイス、およびバンドの別の実施形態の概略的な斜視図である。
【図５７】バンドに接続された追加の入力デバイスを有するバンドの別の実施形態を例示する概略図であり、バンドがユーザの腕に着用されており、追加の入力デバイスが１つ以上の外部デバイスと通信している。
【図５８】本開示の態様による、外部デバイスおよび追加の入力デバイスに関して使用され得る動作の方法の一実施形態を示すフローチャートである。
【図５９】本開示の態様による、外部デバイスおよび追加の入力デバイスに関して使用され得る動作の方法の別の実施形態を示すフローチャートである。
【図６０】本開示の態様による、追加の入力デバイスと併せて動作されている外部デバイスのディスプレイの一実施形態を例示する。
【図６１】本開示の態様による、追加の入力デバイスと併せて動作されている外部デバイスのディスプレイの別の実施形態を例示する。
【図６２】本開示の態様による、電子モジュールの一実施形態の上部正面斜視図である。
【図６３】本開示の態様による、ハウジングの一実施形態と係合された図１のモジュールの上部背面斜視図である。
【図６４】図６３のハウジングおよびモジュールの部分断面図である。
【図６５】図６３のハウジングの上部正面斜視図である。
【図６６】図６３のハウジングの上部背面斜視図である。
【図６７】本開示の態様による、図６３のハウジングを含むハウジングアセンブリの一実施形態の底部背面斜視図である。
【図６８】本開示の態様による、図６７のハウジングアセンブリの一対の電気接点部材の一実施形態の上部背面斜視図である。
【図６９】本開示の態様による、接点部材と係合された図６７のハウジングアセンブリのキャリアの一実施形態の上部背面斜視図である。
【図７０】図６９のキャリアおよび接点部材の部分的な底部正面斜視図である。
【図７１】図６９のキャリアおよび接点部材の部分的な上部正面斜視図である。
【図７２】図６９のキャリアおよび接点部材と係合された図６２のモジュールの上部背面斜視図であり、キャリアおよび接点部材が、部分的に透明に示されている。
【図７３】図６７のハウジングアセンブリの部分的な長手方向の断面図である。
【図７４】図６７のハウジングアセンブリの横断面図である。
【図７５】本開示の態様による、ハウジングアセンブリの一部分を被覆する絶縁材料の一実施形態を含む、図６７のハウジングアセンブリの底部背面斜視図である。
【図７６】本開示の態様による、ハウジングアセンブリの別の実施形態の底面図である。
【図７７】本開示の態様による、ハウジングアセンブリの別の実施形態の底面図である。
【図７８】本開示の態様による、スカートまたはジャケットの形態の着用可能な物品の一実施形態の背面図であり、そこに接続されたハウジングアセンブリを有し、物品の外側を示している。
【図７９】ハウジングアセンブリおよび図７８の着用可能な物品の外側の一部分の平面図である。
【図８０】物品の内側を例示するために裏返しに示される、図７８の着用可能な物品およびハウジングアセンブリの背面図である。
【図８１】ハウジングアセンブリおよび図７８の着用可能な物品の内側の一部分の平面図であり、導電性リードがハウジングアセンブリに接続されている。
【図８２】本開示の態様による、ハウジングアセンブリの別の実施形態の底部背面斜視図である。
【図８３】図８２のハウジングアセンブリの底部背面斜視図である。
【図８４】本開示の態様による、キャリア、接点部材、および導電性リードの別の実施形態の底部正面斜視図である。
【図８５】本開示の態様による、図６２のハウジングを着用可能な物品に接続するためのプロセスの一実施形態における工程を示す上部背面斜視図である。
【図８６】図６２のハウジングを着用可能な物品に接続するためのプロセスの実施形態における別の工程を示す分解斜視図である。
【図８７】図６２のハウジングを着用可能な物品に接続するためのプロセスの実施形態における別の工程を示す斜視図である。
【図８８】本開示の態様による、ハウジングアセンブリの別の実施形態の底面図であり、導電性リードがハウジングアセンブリに接続されている。
【図８９】本開示の態様による、着用可能な物品に接続されたハウジングアセンブリの別の実施形態の平面図である。
【図９０】本開示の態様による、着用可能な物品に接続されたハウジングアセンブリの別の実施形態の平面図である。
【図９１】図８９の線２９−２９に沿った断面図である。
【図９２】本開示の態様による、電子モジュールの一実施形態の概略図である。
【図９３】本開示の態様による、電子モジュールの別の実施形態の概略図である。詳細な説明
【００２９】
本開示の態様は、運動選手の肉体的運動に関する運動競技データを取得、記憶、および／または処理することに関与する。運動競技データは、能動的または受動的に検知され得る、および／または１つ以上の非一時的記憶媒体に記憶され得る。またさらなる態様は、例えば、計算された運動競技属性、ガイダンスを提供するフィードバック信号、および／または他の情報などの出力を生成するように運動競技データを使用することに関する。これらおよび他の態様は、個人トレーニングシステムの以下の例示的な例の文脈で考察されることになる。
【００３０】
本出願は、参照によって、２０１３年３月１４日出願の米国特許出願第１３／８２８，８９３号、２０１５年１１月１９日出願の米国特許出願第１４／９４６，６８２号、２０１５年１１月１９日出願の米国特許出願第１４／９４６，６７０号、２０１５年１１月１９日出願の米国特許出願第１４／９４６，６７４号、２０１５年１１月１９日出願の米国特許出願第１４／９４６，６９１号、２０１４年１１月１９日出願の米国仮出願第６２／０８２，１１３号、２０１５年１月７日出願の米国仮出願第６２／１００，７８２号、２０１５年４月１０日出願の米国仮出願第６２／１４６，０２９号、２０１５年５月２９日出願の米国仮出願第６２／１６８，３５７号、２０１５年５月２９日出願の米国仮出願第６２／１６８，５０２号、２０１５年９月８日出願の米国仮出願第６２／２１５，４９７号、２０１６年７月８日出願の米国仮出願第６２／３５９，８７９号、および２０１６年６月３０日出願の米国仮出願第６２／３５６，９６０号を組み込む。
【００３１】
様々な実施形態の以下の説明では、本明細書の一部を形成し、かつ本開示の態様が実行され得る様々な実施形態の例示によって示される、添付図面が参照される。他の実施形態が利用されてもよく、構造的および機能的修正が本開示の範囲および概念から逸脱せずになされ得ることが理解されるべきである。さらに、本開示内の見出しは、本開示の態様を限定するように考慮されるべきではなく、実施形態の例は、見出しの例に限定されるものではない。
【００３２】
Ｉ．個人トレーニングシステムの例
Ａ．例示的なネットワーク
本開示の態様は、複数のネットワークにわたって利用され得るシステムおよび方法に関する。この点について、特定の実施形態が、動的ネットワーク環境に適応するように構成され得る。さらなる実施形態は、異なる別個のネットワーク環境で動作可能であり得る。図１は、実施形態の例による、個人トレーニングシステム１００の一例を例示する。システム１００の例は、例示的なボディエリアネットワーク（ＢＡＮ）１０２、ローカルエリアネットワーク（ＬＡＮ）１０４、および広域ネットワーク（ＷＡＮ）１０６などの、１つ以上の相互接続されたネットワークを含み得る。図１に示されるように（そして本開示全体で説明されるように）、１つ以上のネットワーク（例えば、ＢＡＮ１０２、ＬＡＮ１０４、および／またはＷＡＮ１０６）は、互いに重なってもよく、または別様に互いに包括的であってもよい。当業者は、例示的なネットワーク１０２〜１０６が１つ以上の異なる通信プロトコルおよび／またはネットワークアーキテクチャを各々備え得、かつさらに互いにまたは他のネットワークにゲートウェイを有するように構成され得る、論理ネットワークであることを理解するであろう。例えば、ＢＡＮ１０２、ＬＡＮ１０４および／またはＷＡＮ１０６の各々は、セルラーネットワークアーキテクチャ１０８および／またはＷＡＮアーキテクチャ１１０などの、同一の物理的ネットワークアーキテクチャに動作可能に接続され得る。例えば、ＢＡＮ１０２およびＬＡＮ１０４の両方の構成要素が考慮され得るポータブル電子デバイス１１２は、伝送制御プロトコル（ＴＣＰ）、インターネットプロトコル（ＩＰ）、ならびにアーキテクチャ１０８および／または１１０を介したユーザデータグラムプロトコル（ＵＤＰ）などの、１つ以上の通信プロトコルに従って、ネットワークメッセージへのデータを変換および信号を制御し、かつネットワークメッセージからのデータを変換および信号を制御するように構成された、ネットワークアダプタまたはネットワークインターフェースカード（ＮＩＣ）を備え得る。これらのプロトコルは、当技術分野で周知であり、したがって、本明細書ではより詳細に考察されない。
【００３３】
ネットワークアーキテクチャ１０８および１１０は、例えば、ケーブル、ファイバ、衛星、電話、セルラー、無線などの、任意のタイプまたはトポロジーの、単独または組み合わせにおける、１つ以上の情報分散ネットワークを含み得、そのため、１つ以上の有線または無線通信チャネル（限定されるものではないが、ＷｉＦｉ（登録商標）、Ｂｌｕｅｔｏｏｔｈ（登録商標）、近距離無線通信（ＮＦＣ）および／またはＡＮＴ技術を含む）を有するなど、様々に構成され得る。したがって、図１のネットワーク内の任意のデバイス（ポータブル電子デバイス１１２または本明細書に説明される任意の他のデバイスなど）が、異なる論理ネットワーク１０２〜１０６のうちの１つ以上に包括的に考慮され得る。これらを踏まえ、例示的なＢＡＮおよびＬＡＮ（ＷＡＮ１０６に連結され得る）の構成要素の例が説明されることになる。
【００３４】
１．ローカルエリアネットワークの例
ＬＡＮ１０４は、例えば、コンピュータデバイス１１４などの１つ以上の電子デバイスを含み得る。コンピュータデバイス１１４、またはシステム１００の任意の他の構成要素は、電話、音楽プレーヤ、タブレット、ネットブックまたは任意のポータブルデバイスなどのモバイル端末を備え得る。他の実施形態では、コンピュータデバイス１１４は、メディアプレーヤまたはレコーダ、デスクトップコンピュータ、サーバ、例えば、Ｍｉｃｒｏｓｏｆｔ（登録商標）ＸＢＯＸ、Ｓｏｎｙ（登録商標）Ｐｌａｙｓｔａｔｉｏｎ、および／またはＮｉｎｔｅｎｄｏ（登録商標）Ｗｉｉゲーミングコンソールなどのゲーミングコンソールを備え得る。当業者は、これらが、説明目的の単なるデバイスの例であり、本開示が、任意のコンソールまたはコンピューティングデバイスに限定されないことを理解するであろう。
【００３５】
当業者は、コンピュータデバイス１１４の設計および構造が、その意図される目的などの、いくつかの要因に応じて変化し得ることを理解するであろう。コンピュータデバイス１１４の実装の一例が、コンピューティングデバイス２００のブロック図を例示する図２に提供される。当業者は、図２の開示が本明細書に開示される任意のデバイスに適用可能であり得ることを理解するであろう。デバイス２００は、プロセッサ２０２−１および２０２−２（本明細書では「複数のプロセッサ２０２」または「プロセッサ２０２」と概して称される）などの、１つ以上のプロセッサを含み得る。プロセッサ２０２は、相互接続ネットワークまたはバス２０４を介して互いにまたは他の構成要素と通信し得る。プロセッサ２０２は、単一集積回路（ＩＣ）チップ上に実装され得る、コア２０６−１および２０６−２（本明細書では「複数のコア２０６」またはより一般的に「コア２０６」と称される）などの、１つ以上の処理コアを含み得る。
【００３６】
コア２０６は、共有されたキャッシュ２０８および／またはプライベートキャッシュ（例えば、それぞれ、キャッシュ２１０−１および２１０−２）を備え得る。１つ以上のキャッシュ２０８／２１０は、プロセッサ２０２の構成要素によるより高速なアクセスのために、メモリ２１２などのシステムメモリ内に記憶されたデータをローカルにキャッシュし得る。メモリ２１２は、チップセット２１６を介してプロセッサ２０２と通信し得る。キャッシュ２０８は、特定の実施形態ではシステムメモリ２１２の一部であり得る。メモリ２１２は、限定されるものではないが、ランダムアクセスメモリ（ＲＡＭ）、読み出し専用メモリ（ＲＯＭ）を含み得、ソリッドステートメモリ、光学もしくは磁気記憶装置、および／または電子情報を記憶するために使用され得る任意の他の媒体のうちの１つ以上を含み得る。さらに他の実施形態は、システムメモリ２１２を省略し得る。
【００３７】
システム２００は、１つ以上のＩ／Ｏデバイス（例えば、Ｉ／Ｏデバイス２１４−１〜２１４−３、各々概してＩ／Ｏデバイス２１４と称される）を含み得る。１つ以上のＩ／Ｏデバイス２１４からのＩ／Ｏデータは、１つ以上のキャッシュ２０８、２１０および／またはシステムメモリ２１２に記憶され得る。Ｉ／Ｏデバイス２１４の各々は、任意の物理的または無線通信プロトコルを使用して、システム１００の構成要素と動作可能に通信するように、恒久的または一時的に構成され得る。
【００３８】
図１を参照すると、４つのＩ／Ｏデバイス（要素１１６〜１２２として示される）の例が、コンピュータデバイス１１４と通信しているように示される。当業者は、デバイス１１６〜１２２の１つ以上がスタンドアロンデバイスであり得るか、またはコンピュータデバイス１１４以外の別のデバイスと関連付けられ得ることを理解するであろう。例えば、１つ以上のＩ／Ｏデバイスは、ＢＡＮ１０２および／またはＷＡＮ１０６の構成要素と関連付けられ得るか、またはそれらと相互作用し得る。Ｉ／Ｏデバイス１１６〜１２２は、限定されるものではないが、例えば、センサなどの運動競技データ取得ユニットを含み得る。１つ以上のＩ／Ｏデバイスは、ユーザ１２４などのユーザから運動競技パラメータを検知、検出、および／または測定するように構成され得る。例としては、限定されるものではないが、加速度計、ジャイロスコープ、場所判定デバイス（例えば、ＧＰＳ）、光（非可視光を含む）センサ、温度センサ（周囲温度および／または体温を含む）、睡眠パターンセンサ、心拍数モニタ、画像捕捉センサ、湿度センサ、力センサ、方位磁石、角速度センサ、および／またはとりわけそれらの組み合わせが挙げられる。
【００３９】
さらなる実施形態では、Ｉ／Ｏデバイス１１６〜１２２は、出力を提供する（例えば、聴覚、視覚、または触覚キュー）および／または運動選手１２４からのユーザ入力などの入力を受信するために使用され得る。これらの例示的なＩ／Ｏデバイスの使用例が以下に提供されるが、当業者は、そのような考察が本開示の範囲内の多くの選択肢のいくつかの単なる記述であることを理解するであろう。さらに、任意のデータ取得ユニット、Ｉ／Ｏデバイス、またはセンサに対する参照は、本明細書に開示されるか、または当技術分野で既知の、１つ以上のＩ／Ｏデバイス、データ取得ユニット、および／またはセンサ（個々にまたは組み合わせのいずれか）を有し得る実施形態を開示すると解釈されるべきである。
【００４０】
１つ以上のデバイスからの情報（１つ以上のネットワークにわたる）は、限定されるものではないが、速度、加速度、距離、歩数、方向、特定の身体部分または物体の他に対する相対運動、または角速度、直進速度もしくはそれらの組み合わせとして表現され得る他の運動パラメータなどの運動パラメータ、カロリー、心拍数、汗の検出、労力、酸素消費量、酸素反応速度、ならびに圧力、衝撃力、運動選手に関する情報、例えば、身長、体重、年齢、人口統計情報およびそれらの組み合わせなどの、１つ以上の分類内に収まり得る他の基準などの、生理学的パラメータを含む、様々な異なるパラメータ、基準または生理学的特性を提供する（またはそれらの形態で利用される）ために使用され得る。
【００４１】
システム１００は、システム１００内に収集されるか、または別様にシステム１００に提供される、パラメータ、基準、または生理学的特性を含む、運動競技データを送信および／または受信するように構成され得る。一例として、ＷＡＮ１０６は、サーバ１１１を備え得る。サーバ１１１は、図２のシステム２００の１つ以上の構成要素を有し得る。一実施形態において、サーバ１１１は、少なくとも、プロセッサ２０６およびメモリ２１２などの、プロセッサおよびメモリを備える。サーバ１１１は、非一時的コンピュータ可読媒体上にコンピュータ実行可能命令を記憶するように構成され得る。命令は、システム１００内に収集された生のまたは処理されたデータなどの運動競技データを含み得る。システム１００は、エネルギー消費点などのデータをソーシャルネットワーキングウェブサイトに送信するか、またはそのようなサイトをホストするように構成され得る。サーバ１１１は、１人以上のユーザが運動競技データにアクセスおよび／またはそれらを比較することを可能にするために利用され得る。そのため、サーバ１１１は、運動競技データまたは他の情報に基づいて通知を送信および／または受信するように構成され得る。
【００４２】
ＬＡＮ１０４に戻ると、コンピュータデバイス１１４は、ディスプレイデバイス１１６、画像捕捉デバイス１１８、センサ１２０、および運動デバイス１２２と動作可能に通信するように示され、これらは、次いで、実施形態の例を参照して以下に考察される。一実施形態では、ディスプレイデバイス１１６は、視聴覚キューを運動選手１２４に提供して、特定の運動競技運動を実施させ得る。視聴覚キューは、ＢＡＮ１０２および／またはＷＡＮのデバイスを含む、コンピュータデバイス１１４または任意の他のデバイス上で実行されるコンピュータ実行可能命令に応答して提供され得る。ディスプレイデバイス１１６は、タッチ画面デバイスであってもよく、または別様にユーザ入力を受信するように構成されてもよい。
【００４３】
一実施形態では、データは、単独または他のデバイスとの組み合わせのいずれかで、運動競技パラメータを検出（および／または測定）するために使用され得る、画像捕捉デバイス１１８および／もしくはセンサ１２０などの他のセンサ、または記憶された情報から取得され得る。画像捕捉デバイス１１８および／またはセンサ１２０は、送受信デバイスを備え得る。一実施形態では、センサ１２８は、赤外線（ＩＲ）、電磁気（ＥＭ）または音響送受信機を備え得る。例えば、画像捕捉デバイス１１８、および／またはセンサ１２０は、波形を環境内に送信し得、これは、運動選手１２４の方向に向かうことを含み、「反射」を受信するか、または別様にそれらの関連した波形の変形を検出する。当業者は、多数の異なるデータスペクトルに対応する信号が、様々な実施形態によって利用され得ることを理解するであろう。この点について、デバイス１１８および／または１２０は、外部ソース（例えば、システム１００ではない）から放出された波形を検出し得る。例えば、デバイス１１８および／または１２０は、ユーザ１２４および／または周囲環境から放出されている熱を検出し得る。したがって、画像捕捉デバイス１２６および／またはセンサ１２８は、１つ以上の熱画像デバイスを備え得る。一実施形態では、画像捕捉デバイス１２６および／またはセンサ１２８は、範囲現象学を実施するように構成されたＩＲデバイスを備え得る。
【００４４】
一実施形態では、運動デバイス１２２は、運動選手１２４が、例えば、トレッドミル、ステップマシンなどの肉体的運動を実施することを可能または容易にするように構成可能な任意のデバイスとすることができる。デバイスが静止している必要はない。この点について、無線技術は、ポータブルデバイスが利用されることを可能にし、したがって、自転車または他のモバイル運動デバイスが、特定の実施形態によって利用され得る。当業者は、機器１２２がコンピュータデバイス１１４から遠隔に実施された運動競技データを含有する電子デバイスを受容するためのインターフェースとすることができるか、またはそれを備え得ることを理解するであろう。例えば、ユーザは、スポーツデバイス（ＢＡＮ１０２に関して以下に説明される）を使用して、家または機器１２２の場所に戻る際に、運動競技データを要素１２２またはシステム１００の任意の他のデバイスにダウンロードし得る。本明細書に開示される任意のＩ／Ｏデバイスが、活動データを受信するように構成され得る。
【００４５】
２．ボディエリアネットワーク
ＢＡＮ１０２は、運動競技データを受信、送信、または別様に収集を容易にするように構成された２つ以上のデバイス（受動デバイスを含む）を含み得る。代表的なデバイスは、１つ以上のデータ取得ユニット、センサ、または当技術分野で既知の、もしくは限定されるものではないが、Ｉ／Ｏデバイス１１６〜１２２を含む、本明細書に開示されるデバイスを含み得る。ＢＡＮ１０２の２つ以上の構成要素は、直接通信し得、さらに他の実施形態では、通信は、ＢＡＮ１０２、ＬＡＮ１０４、および／またはＷＡＮ１０６の一部であり得る第３のデバイスを介して行われ得る。ＬＡＮ１０４またはＷＡＮ１０６の１つ以上の構成要素は、ＢＡＮ１０２の一部を形成し得る。特定の実装形態では、ポータブルデバイス１１２などのデバイスは、ＢＡＮ１０２、ＬＡＮ１０４、および／またはＷＡＮ１０６の一部であるか否かにかかわらず、アクセスポイントに対する運動選手の近接度に応じて、モバイルセルラーネットワークアーキテクチャ１０８および／またはＷＡＮアーキテクチャ１１０との通信を可能にする。ユーザ活動および／または選好もまた、１つ以上の構成要素がＢＡＮ１０２の一部として利用され得るか否かに影響を及ぼし得る。実施形態の例が以下に提供される。
【００４６】
ユーザ１２４は、ポータブルデバイス１１２、靴装着デバイス１２６、手首着用デバイス１２８などの任意の数のデバイス、および／または情報を収集するために使用される物理的デバイスまたは場所を含み得る、検知場所１３０などの検知場所と関連付けられ得る。１つ以上のデバイス１１２、１２６、１２８、および／または１３０は、健康または運動競技目的に特別に設計されていなくてもよい。実際に、本開示の態様は、運動競技データを収集、検出、および／または測定するために、複数のデバイスからのデータを利用することに関し、それらのいくつかは、健康デバイスではない。特定の実施形態では、ＢＡＮ１０２（または任意の他のネットワーク）の１つ以上のデバイスは、健康デバイスまたは特定のスポーツ用途に特別に設計されているスポーツデバイスを備え得る。本明細書に使用される際、「スポーツデバイス」という用語は、特定のスポーツまたは健康活動中に使用され得るか、または関係し得る、任意の物理的物体を含む。代表的なスポーツデバイスとしては、限定されるものではないが、ゴルフボール、バスケットボール、野球ボール、サッカーボール、フットボール、パワーボール、ホッケーパック、ウエイト、バット、クラブ、スティック、パドル、マット、およびそれらの組み合わせが挙げられ得る。さらなる実施形態では、代表的な健康デバイスは、ゴールネット、フープ、バックボード、フィールドの一部分、例えば、中心線、外側境界マーカ、ベース、およびそれらの組み合わせなどの、環境自体を含む、特定のスポーツを行う、スポーツ環境内の物体を含み得る。
【００４７】
この点について、当業者は、１つ以上のスポーツデバイスもまた、構造体の一部であってもよく（またはそれを形成する）、逆に、構造体が、１つ以上のスポーツデバイスを備えてもよく、またはスポーツデバイスと相互作用するように構成されてもよいことを理解するであろう。例えば、第１の構造体は、バスケットボールのフープおよびバックボードを備えてもよく、これは、ゴールポストとともに取り外しおよび置き換えられ得る。この点について、１つ以上のスポーツデバイスは、１つ以上の構造体と関連付けられた１つ以上のセンサなどの、独立して、または他のセンサと併せて利用される情報を提供し得る、図１〜３に関して上で考察されたセンサのうちの１つ以上などの、１つ以上のセンサを備え得る。例えば、バックボードは、バスケットボールによる力および力の方向を測定するように構成された第１のセンサを備え得、その上、バックボードおよびフープは、力を検出するために第２のセンサを備え得る。同様に、ゴルフクラブは、シャフトに帰するグリップを検出するように構成された第１のセンサと、ゴルフボールとの衝撃を測定するように構成された第２のセンサと、を備え得る。
【００４８】
例示的なポータブルデバイス１１２を見ると、それは、例えば、Ｃｕｐｅｒｔｉｎｏ、ＣａｌｉｆｏｒｎｉａのＡｐｐｌｅ，Ｉｎｃから入手可能なＩＰＯＤ（登録商標）、ＩＰＡＤ（登録商標）、もしくはｉＰｈｏｎｅ（登録商標）、またはＲｅｄｍｏｎｄ、ＷａｓｈｉｎｇｔｏｎのＭｉｃｒｏｓｏｆｔから入手可能なＺｕｎｅ（登録商標）もしくはＭｉｃｒｏｓｏｆｔ（登録商標）Ｗｉｎｄｏｗｓデバイスを含む、電話またはデジタル音楽プレーヤを含む多目的電子デバイスとすることができる。当技術分野で既知のように、デジタルメディアプレーヤは、コンピュータ用の出力デバイス、入力デバイス、および／または記憶デバイスとして機能し得る。デバイス１１２は、ＢＡＮ１０２、ＬＡＮ１０４、またはＷＡＮ１０６内の１つ以上のデバイスから収集された生のまたは処理されたデータを受信するための入力デバイスとして構成され得る。１つ以上の実施形態では、ポータブルデバイス１１２は、コンピュータデバイス１１４の１つ以上の構成要素を備え得る。例えば、ポータブルデバイス１１２は、モバイル端末を備えるように、追加の構成要素を伴って、または伴わずに、上で考察されたＩ／Ｏデバイス１１６〜１２２のいずれかなどの、ディスプレイ１１６、画像捕捉デバイス１１８、および／または１つ以上のデータ取得デバイスを含み得る。
【００４９】
ａ．例示的な衣服／装身具センサ
特定の実施形態では、Ｉ／Ｏデバイスは、ユーザ１２４の衣類、または時計、アームバンド、リストバンド、ネックレス、シャツ、靴などを含む装身具内に形成され得るか、または別様にそれらと関連付けられ得る。これらのデバイスは、ユーザの運動競技運動を監視するように構成され得る。それらが、コンピュータデバイス１１４とのユーザ１２４の相互作用中、および／またはコンピュータデバイス１１４（または本明細書に開示される任意の他のデバイス）の独立した動作中の運動競技運動を検出し得ることが理解されるべきである。例えば、ＢＡＮ１０２内の１つ以上のデバイスは、ユーザの近接度またはコンピュータデバイス１１４との相互作用にかかわらず活動を測定する、終日の活動モニタとして機能するように構成され得る。以下の段落で各々説明される、図３に示される検知システム３０２および図４に示されるデバイスアセンブリ４００が、単に例示的な例であることがさらに理解されるべきである。
【００５０】
ｉ．靴装着デバイス
特定の実施形態では、図１に示されるデバイス１２６は、限定されるものではないが、本明細書に開示されるものおよび／または当技術分野で既知のものを含む、１つ以上のセンサを含み得る履物を備え得る。図３は、１つ以上のセンサアセンブリ３０４を提供するセンサシステム３０２の実施形態の一例を例示する。アセンブリ３０４は、例えば、加速度計、ジャイロスコープ、場所判定構成要素、力センサ、および／または本明細書に開示されるか、もしくは当技術分野で既知の任意の他のセンサなどの、１つ以上のセンサを備え得る。例示的な実施形態では、アセンブリ３０４は、力検知抵抗（ＦＳＲ）センサ３０６を含み得る、複数のセンサを組み込むが、他のセンサが利用されてもよい。ポート３０８は、靴の靴底構造３０９内に位置付けられ得、１つ以上の電子デバイスとの通信のために概して構成される。ポート３０８は、任意選択的に、電子モジュール３１０と通信するように提供され得、靴底構造３０９は、任意選択的に、モジュール３１０を受容するようにハウジング３１１または他の構造を含み得る。センサシステム３０２はまた、ＦＳＲセンサ３０６をポート３０８に接続する複数のリード３１２を含み、ポート３０８を介したモジュール３１０および／または別の電子デバイスとの通信を可能にし得る。モジュール３１０は、靴の靴底構造内の穴または空洞内に含有され得、ハウジング３１１は、その穴または空洞内に位置付けられ得る。一実施形態では、少なくとも１つのジャイロスコープおよび少なくとも１つの加速度計が、モジュール３１０および／またはハウジング３１１などの単一ハウジング内に提供される。少なくともさらなる実施形態では、１つ以上のセンサが提供され、動作時に、方向の情報および角速度データを提供するように構成されている。ポート３０８およびモジュール３１０は、接続および通信用の相補的インターフェース３１４、３１６を含む。
【００５１】
特定の実施形態では、図３に示される少なくとも１つの力検知抵抗３０６は、第１および第２の電極または電気接点３１８、３２０と、電極３１８、３２０を一緒に電気的に接続するように電極３１８、３２０の間に配設された力検知抵抗材料３２２と、を含有し得る。圧力が力検知材料３２２に印加されたとき、力検知材料３２２の抵抗および／または導電性が変化し、これが、電極３１８、３２０の間の電位を変化させる。抵抗の変化は、センサシステム３０２によって検出されて、センサ３１６上に印加される力を検出し得る。力検知抵抗材料３２２は、様々な手段で圧力下のその抵抗値を変化させ得る。例えば、力検知材料３２２は、材料が圧縮されたときに低下する内部抵抗を有し得る。さらなる実施形態は、「スマート材料」を介して実装され得る「容量ベース抵抗」を利用し得る。別の例として、材料３２２は、２片の力検知材料３２２の間、または力検知材料３２２と一方もしくは両方の電極３１８、３２０との間などの、表面間接触の程度を変化させることによって抵抗を変化させ得る。いくつかの状況では、このタイプの力検知抵抗の挙動は、「接触ベース抵抗」として説明され得る。
【００５２】
ｉｉ．手首装着デバイス
図４に示されるように、デバイス４００（図１に示される検知デバイス１２８と類似し得るか、またはそれを備え得る）は、手首、腕、足首、首などの周囲などで、ユーザ１２４によって着用されるように構成され得る。デバイス４００は、デバイス４００の動作中に使用されるように構成された押し下げ可能な入力ボタン４０２などの入力機構を含み得る。入力ボタン４０２は、図１に示されるコンピュータデバイス１１４に関して考察された要素のうちの１つ以上などの、コントローラ４０４および／または任意の他の電子構成要素に動作可能に接続され得る。コントローラ４０４は、埋設され得るか、または別様にハウジング４０６の一部であり得る。ハウジング４０６は、弾性構成要素を含む１つ以上の材料から形成され、かつディスプレイ４０８などの１つ以上のディスプレイを備え得る。ディスプレイは、デバイス４００の照明部分として考慮され得る。ディスプレイ４０８は、ＬＥＤライト４１０などの、一連の個々の発光要素または発光部材を含み得る。ライトは、アレイに形成され、かつコントローラ４０４に動作可能に接続され得る。デバイス４００は、ディスプレイ４０８全体の一部分または構成要素としても考慮され得る、インジケータシステム４１２を含み得る。インジケータシステム４１２は、ディスプレイ４０８（画素部材４１４を有し得る）と併せて動作および照明し得るか、またはディスプレイ４０８から完全に分離し得る。インジケータシステム４１２はまた、複数の追加の発光要素または発光部材を含み得、これらもまた、代表的な実施形態ではＬＥＤライトの形態をとり得る。特定の実施形態では、インジケータシステムは、１つ以上の目標に対する達成を表すようにインジケータシステム４１２の発光部材の一部分を照明することによるなどの、目標の視覚的指示を提供し得る。デバイス４００は、活動点に関して表現されるデータまたはユーザの活動に基づいてユーザによって稼がれた貨幣を、ディスプレイ４０８および／またはインジケータシステム４１２のいずれかを介して、表示するように構成され得る。
【００５３】
締結機構４１６は、デバイス４００がユーザ１２４の手首または一部分の周囲に位置付けられ得る場合に係合解除され得、締結機構４１６は、続いて、係合位置に配置され得る。一実施形態では、締結機構４１６は、限定されるものではないが、コンピュータデバイス１１４ならびに／またはデバイス１２０および／もしくは１１２などのデバイスと動作可能に相互作用するための、ＵＳＢポートを含むインターフェースを備え得る。特定の実施形態では、締結部材は、１つ以上の磁石を備え得る。一実施形態では、締結部材は、可動部がなく、磁力に完全に依存し得る。
【００５４】
特定の実施形態では、デバイス４００は、センサアセンブリ（図４には示されない）を備え得る。センサアセンブリは、本明細書に開示されるものおよび／または当技術分野で既知のものを含む、複数の異なるセンサを備え得る。実施形態の例では、センサアセンブリは、本明細書に開示されるおよび／または当技術分野で既知の任意のセンサに対する動作可能な接続を備え得るか、または可能にし得る。デバイス４００および／またはそのセンサアセンブリは、１つ以上の外部センサから取得されたデータを取得するように構成され得る。
【００５５】
ｉｉｉ．衣服および／または身体場所検知
図１の要素１３０は、センサ、データ取得ユニット、または他のデバイスなどの物理的装置と関連付けられ得る検知場所の例を示す。さらに他の実施形態では、画像捕捉デバイス（例えば、画像捕捉デバイス１１８）などを介して、監視される身体部分または領域の特定の場所であり得る。特定の実施形態では、要素１３０は、センサを備え得、それにより、要素１３０ａおよび１３０ｂは、運動選手の衣類などの衣服に統合されたセンサとすることができる。そのようなセンサは、ユーザ１２４の身体の任意の所望される場所に配置され得る。センサ１３０ａ／ｂは、ＢＡＮ１０２、ＬＡＮ１０４、および／またはＷＡＮ１０６の１つ以上のデバイス（他のセンサを含む）と通信し得る（例えば、無線で）。特定の実施形態では、受動検知表面が、画像捕捉デバイス１１８および／またはセンサ１２０によって放射された、赤外光などの波形を反射し得る。一実施形態では、ユーザ１２４の衣服上に位置する受動センサが、ガラスまたは波形を反射し得る他の透明もしくは半透明の表面から作製された略球形構造を備え得る。異なる分類の衣服が利用されてもよく、所与の分類の衣服は、適切に着用したときにユーザ１２４の身体の特定の部分に近位に位置するように構成された特定のセンサを有する。例えば、ゴルフ用の衣服は、第１の構成で衣服上に位置付けられる１つ以上のセンサを含み得、またサッカー用の衣服は、第２の構成で衣服上に位置付けられる１つ以上のセンサを含み得る。
【００５６】
図５は、検知入力のための例示的な場所を示す（例えば、検知場所１３０ａ〜１３０ｏ参照）。この点について、センサは、ユーザの衣類上／内に位置する物理的センサであり得、また他の実施形態では、センサ場所１３０ａ〜１３０ｏは、２つの動いている身体部位間の関係の識別に基づき得る。例えば、センサ場所１３０ａは、画像捕捉デバイス１１８などの画像捕捉デバイスによるユーザ１２４の動きを識別することによって判定され得る。したがって、特定の実施形態では、センサは、特定の場所（センサ場所１３０ａ〜１３０ｏのうちの１つ以上など）に物理的に位置しない場合があるが、画像捕捉デバイス１１８または他の場所から集められたセンサデータなどを用いて、その場所の性質を検知するように構成されている。この点について、ユーザの身体の全体形状または一部分は、特定の身体部位の識別を可能にし得る。画像捕捉デバイスが利用される、および／または物理的センサがユーザ１２４上に位置するか否かにかかわらず、他のデバイス（検知システム３０２など）からのデータを使用して、デバイスアセンブリ４００および／または本明細書に開示されるもしくは当技術分野で既知の任意の他のデバイスもしくはセンサが利用され、センサは、身体部位の現在の場所を検知し得る、および／またはその身体部位の運動を追跡し得る。一実施形態では、場所１３０ｍに関する検知データが、ユーザの重心（質量中心としても知られる）の判定に利用され得る。例えば、場所１３０ｍ〜１３０ｏのうちの１つ以上に対する場所１３０ａと場所１３０ｆ／１３０ｌの間の関係は、ユーザの重心が垂直軸に沿って上昇したかどうか（ジャンプ中など）、またはユーザがその膝を屈曲および撓ませることによってジャンプの「ふり」をしようとしているかどうかを判定するために利用され得る。一実施形態では、検知場所１３０６ｎは、ユーザ１２４の胸骨の周りに位置し得る。同様に、検知場所１３０ｏは、ユーザ１２４のへそに近接して位置し得る。特定の実施形態では、検知場所１３０ｍ〜１３０ｏからのデータが利用されて（単独または他のデータと組み合わせて）、ユーザ１２４の重心を判定し得る。さらなる実施形態では、センサ１３０ｍ〜１３０ｏなどの複数のセンサ場所間の関係は、ユーザ１２４の配向および／またはユーザ１２４の胴体の捻りなどの回転力を判定する際に利用され得る。さらに、複数の場所などの１つ以上の場所は、運動場所の中心（またはその近似）として利用され得る。例えば、一実施形態では、場所１３０ｍ〜１３０ｏのうちの１つ以上は、ユーザ１２４のモーメントの中心の場所に対する点として機能し得る。別の実施形態では、１つ以上の場所は、特定の身体部位または領域のモーメントの中心として機能し得る。
【００５７】
ＩＩ．取り外し可能なモジュールを有する運動競技バンド
本開示の態様は、肉体的運動中のユーザの１つ以上の属性（例えば、生理学的、生物医学的、運動競技の属性であり、これらは、重複する例であり得ることが理解されている）を測定し得るシステムに関する。一実施形態では、システムおよび方法は、激しい肉体的運動または運動を実施している間のユーザの１つ以上の属性を測定し得る。例えば、ユーザは、限定されるものではないが、アメリカンフットボール、フットボール、バスケットボール、水泳、またはそれらの組み合わせを含む、職業選手のスポーツ活動に参加している場合がある。一実施形態では、システムおよび方法は、運動中のユーザからの測定値を一貫して提供し得、システムは、職業選手のスポーツに従事するなどの、激しい活動中に一般的に遭遇する衝撃力および／または加速度の大きさを経験する。
【００５８】
特定の態様は、激しい肉体的活動中にユーザの皮膚に対して少なくとも１つのセンサを堅固に保持し得るか、または別様に固定し得る、モジュラーシステムに関する。一実施形態では、システムは、活動中の正確な読み取り値を可能にする様式で、激しい肉体的活動中にユーザの皮膚に対して心拍センサを保持するように構成され得る。バンドは、少なくとも１つのセンサを皮膚に対してさらに固設し、運動競技活動中、または特定の運動競技活動の平均の力および／もしくは加速度の大きさと一般的に関連付けられた運動中に、ユーザの皮膚に対するセンサの１ｍｍ未満の動きを可能にし得る。さらに別の実施形態では、バンドは、取り外し可能なセンサが、運動競技活動中にユーザの皮膚の表面に対して０．５ｍｍ未満で動くように構成され得る。システムは、ユーザの皮膚または衣類に対して固設されるように構成されたバンド９２０を備え得る。一実施形態では、バンドは、アームバンドとして構成されるが、リストバンド、ウエストバンド、または他の構成として構成されてもよい。一実施形態では、バンド９２０は、ユーザの肘と手首との間に着用されるように構成される。別の実施形態では、バンドは、肘と肩との間の場所に着用されるように構成される。
【００５９】
バンド９２０は、限定されるものではないが、アームバンド、リストバンド、レッグバンド、およびベルトなどのバンドなどの、身体に取り付けられ得る任意の好適な衣服の物品とすることができる。加えて、衣服の物品は、シャツ、ジャケット、コート、トレーナー、ベスト、運動パンツ、およびパンツ、ならびに様々な他の衣類の物品などの身体に着用され得る任意の好適な衣服の物品とすることができる。
【００６０】
一実施形態では、バンド９２０は、腕の周囲にバンドを保持するように構成された締結具なしで構成され得る。一実施形態では、バンドは、激しい運動競技活動であり得る活動中に正確なセンサ読み取り値を取得するために、締結具がバンド９２０を付属肢に固設することを必要としない様式で、バンドがユーザの付属肢の周囲に保持されることを可能にする弾性係数を呈してもよい。さらに別の実施形態では、締結具は、付属肢への取り付けのために一緒にバンドの少なくとも一部分を接続するために利用されてもよい。当技術分野の技能の範囲内で、ベルクロ（登録商標）、スナップ、ボタン、バックル、およびジッパーなどの任意の好適な締結具が使用され得る。
【００６１】
本発明の別の態様では、本明細書の図に示されるように、リストバンドまたはアームバンドは、手首または腕上に引き込まれ得る弾性材料から作製される連続筒状バンドであってもよい。以下に考察されるように、ポケット（例えば、ポケット９４０）は、バンド９２０に取り付けられ得るか、またはそれと一体的に形成され得る。以下にさらに考察されるように、バンド９２０は、電子モジュールを保持するように構成された「ポケット」を備えるように構成され得る。この点について、バンドは、ポケット９４０内に固定された電子モジュール９３０の任意の表面と比べて単位面積当たりのより小さい力が、ユーザがバンド９２０を着用しているときに皮膚に対して押されている状態で、バンド９２０の少なくとも一部分がユーザの皮膚に対して固定されるように、力を分散する様式でユーザの皮膚の一部分の周囲にシールまたは他の表面を形成し得る。バンド９２０は、周囲光の特定の部分が、バンド９２０の下のユーザの皮膚の接触から遮断されるように、さらに構成され得る。この点について、バンド９２０は、１つ以上の特定の領域内および／または通常使用中にバンドによって被覆される面積全体にわたって光を遮断し得る。一実施形態では、周囲光の少なくとも７５％が、センサがバンドの孔から延在し、かつユーザの皮膚の表面に接触する場所にすぐ近接するバンドのエリアに到達することから遮断される。
【００６２】
概して、デバイスは、ユーザによって着用されるか、または別様に取り付けられるために、ユーザの身体に着用されるか、または別様に取り付けられるように構成されたバンド９２０と、バンド９２０に接続されるように構成されたモジュール９３０と、を含む。バンド９２０は、一実施形態では、図１５〜１９に例示されるようにアームバンドであってもよく、これは、ユーザの上部前腕上、肘のちょうど下に着用されるように構成される。本実施形態のバンド９２０は、中心経路９２２を画定する筒状本体９２１を含み、それにより、ユーザの腕が経路９２２を通して受容され、かつ筒状本体９２１が腕の周囲に巻き付く。筒状本体９２１は、示される実施形態では略円錐台の形状であり、肘の近くに位置付けられるように構成された幅の広い上端９２３と、腕回りが一般的により小さい、手首の近くに位置付けられるように構成された幅の狭い底端９２４と、を有する。円錐台形状の筒状本体９２１は、ユーザの前腕上に着用されたときに、活動中のバンド９２０の滑りに抵抗することを補助し得る。別の実施形態では、類似構造のバンド９２０が、身体のいずれかの場所に着用されるように構成され得る。例えば、バンド９２０は、上腕、手首、手などの、腕のいずれかの場所に着用されるように構成され得る。別の例として、バンド９２０は、脚、首、胴体、頭部などの様々な場所などの、ユーザの異なる身体部位の周囲に巻き付けられるように構成され得る。バンド９２０の寸法および外形が、異なる身体部位の周囲に巻き付くために調整され得ることが理解される。
【００６３】
一実施形態では、バンド９２０は、ユーザがバンド９２０を快適に着用すること、およびバンド９２０をユーザの身体に対して着脱することを可能にするように伸縮性を有し得る、可撓性の弾性材料、例えば、弾性布地で形成され得る。バンド９２０は、一緒に結合される材料の２つ以上の層から作製されてもよく、これらは、複数の層を作成するために折り重ねられた単一片の一部であってもよい。図１５〜１９は、本明細書に説明される、ハウジング９６３を利用するバンド９２０の一実施形態を例示する。
【００６４】
図６および７、ならびに１５〜１９に示される実施形態では、バンド９２０は、布片から作製され、それは、それ自体が折り重ねられて、２つの層を形成し、２つの層の間に塗布された接着剤によって結合されている。接着剤は、いくつかの実施形態では、あるパターンに形成され得、最終製品で視認可能であってもよく、別個の視覚的外観を作成する。接着剤パターンはまた、バンド９２０の伸縮性の最大の程度を制御する、バンド９２０の伸縮の場所もしくは他の変形を制御する、バンド９２０の耐久性を増強する、および／または他の機能などの、機能性を有してもよい。図６および７に示されるように、接着剤は、バンド９２０に沿って軸方向に延在する複数の線９２５（端９２３、９２４の間）において塗布され、互いに周方向に離間される。これらの構成では、バンド９２０の半径方向の伸縮は、線９２５の間で起こり、接着線９２５は、低伸縮エリアを提供する。図６および７のバンド９２０は、各線９２５に沿って１つ以上の間隙９２６を有する、破断されたか、または不連続の接着線９２５（すなわち、線分）を有し得る。加えて、本実施形態の各線９２５の間隙９２６は、隣接線９２５の間隙９２６からオフセットまたは千鳥状にされてもよい。別の実施形態では、バンド９２０は、実線の接着線（直線および／または曲線であり得る）、または接着剤の１つ以上の中実ブロックを有してもよい。本明細書に説明される接着線の構成は、いくつかの利点を提供する。まず、軸方向に延在する線９２５は、バンドの半径方向の伸縮の大部分が線９２５間で起こることを可能にし、そのため、バンド９２０の弾性材料の係数または弾性応答が伸縮量を制御する。加えて、軸方向に延在する線９２５は、線９２５の接着剤が、軸方向におけるバンド９２０の係数または弾性応答に対するより十分な影響を有することを可能にし、したがって、発生する軸方向の伸縮量を制限する。これは、バンド９２０がユーザの身体上に引き込まれる際の過剰な伸縮を回避し、そのため、バンドを伸縮させることによってユーザが加えるエネルギーを無駄にせずに、バンド９２０が所望されるように摺動するために有利である。間隙９２６の「オフセット」もまた、軸方向の伸縮を制限することを助ける。さらに、接着線９２５の断続塗布は、バンド材料の布地が典型的に接着剤よりも通気性を有するため、より良好な通気性を提供する。別の実施形態では、バンド９２０は、布片から作製され、それが、それ自体に折り重ねられて２つの層を形成し、接着剤、スティッチングなどによって、端９２３、９２４の周囲で結合される。
【００６５】
バンド９２０は、概して、バンド９２０から取り外し可能であり得る電子モジュール９３０を固定するように構成される。一実施形態では、バンド９２０は、取り外し可能な構成でモジュール９３０を受容するように構成された空洞９４１を画定するポケット９４０を有する。一実施形態では、図６および７、ならびに１５〜１９に例示されるように、ポケット９４０は、ユーザの身体と向かい合うおよび／または接触するように構成されるバンド９２０の内面９２７からアクセス可能である。本構成では、ポケット９４０は、バンド９２０の内側９２７上に画定されたアクセス開口部９４２を有し、モジュール９３０は、開口部９４２を介して、挿入および取り外され得る。他の実施形態では、アクセス開口部９４２は、バンド９２０の外側９２８上に位置し得る。バンド９２０は、このアクセスを容易にするために裏返しに反転されてもよい。図６および７、ならびに１５〜１９に示される実施形態のポケット９４０は、バンド９２０の外面９２８の一部を形成する外壁９４３と、バンド９２０の内面９２７の一部を形成する内壁９４４と、を有し、空洞９４１が壁９４３、９４４の間に画定されている。これらの壁９４３、９４４は、一実施形態では少なくとも多少の可撓性を有し、単一層および／もしくは片、または複数の層および／または片で作製され得る。他の実施形態では、壁９４３、９４４は、硬質であり得、バンド９２０の他の部分と同一材料または異なる材料で作製され得る。アクセス開口部９４２は、図６および７、ならびに１５〜１９の実施形態では空洞９４１の一端で内壁９４４内に画定され、それにより、モジュール９３０は、モジュール９３０の一端（一実施形態ではＵＳＢコネクタ１３５）を開口部９４２内に挿入し、次いで、モジュール９３０の残部を、開口部９４２を通して空洞９４１内に押し込むことによって、挿入される。
【００６６】
図６ＡおよびＢは、モジュール９３０がポケット９４０内に挿入されているバンド９２０の実施形態を例示する。図６Ａでは、ポケット９４０は、バンド９２０の上端９２３の近く（すなわち、ユーザの肘の近く）に位置付けられたライト９３４およびボタン９３３を有するモジュール９３０と、バンド９２０の底端９２４の近く（すなわち、ユーザの手首の近く）に位置付けられたコネクタ９３５と、の挿入のために構成される。図７では、ポケット９４０は、バンド９２０の底端９２４の近く（すなわち、ユーザの肘の手首）に位置付けられたライト９３４およびボタン９３３を有するモジュール９３０と、バンド９２０の上端９２３の近く（すなわち、ユーザの肘の近く）に位置付けられたコネクタ９３５と、の挿入のために構成される。アクセス開口部９４２（図６および７では示されない）が、図６では上端９２３の近く、図７では底端９２４の近くに位置し得ることが理解される。図６Ｂの構成は、より良好な人間工学および使い易さを提供し得る。例えば、ライト９３４を視認すること、およびボタン９３３を押すことは、これらの構成要素が手首の近くに位置するときにより少ない動きかつより自然な動きを必要とし得る。また、ボタン９３３を押す力は、ユーザの腕を圧縮させ、ボタン９３３が、骨が皮膚により近い手首の近くにある場合、ボタンを押す力で圧縮し得る軟質組織がより少ない。図６Ｂの構成では、保護シェル９４８（以下に説明される）が、ユーザが腕においてバンド９２０を引っ張るように把持し得るエリアにそれが位置する際に、コネクタ９３５を保護する。
【００６７】
ポケット９４０はまた、モジュール９３０のセンサ９３２の妨げられない経路が、ユーザの身体に接触すること（例えば、心拍センサ）、または別様にユーザの身体と直接相互作用すること（例えば、光、熱、または他の放射ベースセンサ）などによって、ユーザの身体を直接検知することを可能にするように構成された１つ以上のセンサ開口部９４５を含み得る。図１５〜１９に例示された実施形態では、ポケット９４０は、空洞９４１内に延在する内壁９４４上に開口部９４２を有し、センサ開口部およびアクセス開口部の両方として作用するように構成される。言い換えると、開口部９４２は、開口部９４２を介した空洞９４１内へのモジュール９３０の挿入を可能にするために十分に大きく、開口部９４２の一部分は、モジュール９３０の突起９３９が、そこを通って、センサ９３２がユーザの身体に近接されることを可能にするように、延在することを可能にする。他の実施形態では、ポケット９４０は、アクセス開口部９４２とは別である内壁９４４上のセンサ開口部９４５を有してもよい。ポケット９４０は、複数のセンサ開口部９４５を有してもよい。
【００６８】
ポケットの外壁９４３は、モジュール９３０を被覆するように構成され、さらに外壁９４３を介したモジュールの読み取りおよび／または操作を可能にするように構成されてもよい。例えば、外壁９４３は、モジュール９３０のディスプレイの視認を可能にするように１つ以上の窓９４６を含んでもよい。そのような窓９４６は、外壁９４３内の開口部であってもよく、またはそれを介したライトもしくはライト付きディスプレイの視認を可能にする透明もしくは半透明部分であってもよい。図６および７、ならびに１５〜１９に示される実施形態では、外壁９４３は、単一光の視認を可能にする窓９４６を有し、さらに追加的または代替的に、モジュール９３０上の複数のＬＥＤ（すなわち、読み取り可能なディスプレイ）の視認を可能にするように構成された１つ以上の窓９４６を有してもよい。ポケット９４０が、モジュール９３０の構造と相補的であるように構成された１つ以上の窓９４６を有し得ることが理解される。
【００６９】
別の例として、外壁９４３は、外壁９４３を介したモジュール９３０の１つ以上のボタン９３３の操作を可能にするように構成される１つ以上のボタン部分９４７を有してもよい。「ボタン」が、機械的／電気的ボタン、タッチ画面インターフェース、または他の手動動作可能な構成要素を含み得ることが理解される。ボタン部分９４７は、モジュール９３０のボタン９３３をアクティブ化するためにユーザがボタン部分９４７を押すことを可能にする外壁９４３の単なる可撓性部分であってもよい。外壁９４３は、バンド９２０の外壁９４３、および／またはより大きい可撓性を有する凹状または凹んだ部分などの部分の撓みを制御する１つ以上の撓みゾーン（図示せず）をさらに有してもよい。別の実施形態では、ボタン部分９４７は、モジュール９３０のボタン９３３を作動させるボタン機構（単数または複数の）を有してもよい。例えば、図１５〜１９の実施形態では、ポケットの外壁９４３は、モジュール９３０上のボタン９３３と相互作用するように構成されたボタン部分９４７と、外壁９４３を介したライト９３４の視認を可能にするように構成された窓９４６と、を有する。さらなる実施形態では、ボタン部分９４７は、モジュール９３０がそこにライトを有するボタンを有する場合、またはモジュール９３０がライト付きタッチ画面ディスプレイを有する場合、窓９４６を兼ねてもよい。外壁９４３は、モジュール９３０上のボタン９３３の場所の指示、ロゴ、命令などの、印をさらに有してもよい。
【００７０】
バンド９２０は、バンド９２０の部品を一緒に接合する加熱活性化フィルムを用いて、熱プレス動作を使用して構築され得る。一実施形態では、米国特許出願第１４／９４６，６８２号、同第１４／９４６，６７０号、同第１４／９４６，６７４号、および同第１４／９４６，６９１号に説明されるように、バンド９２０の材料片は、熱プレスされて、材料を成形して、ポケット９４０を画定し、材料の硬さを増大させ得る。図６および７のバンド９２０は、このように作成される。図１１〜１４は、上記を参照した用途で説明されたように説明される構成要素および技術を使用してバンド９２０を製造するために使用され得る型９７０の実施形態の例を例示する。型９７０は、構築されたバンド構成要素の周囲で一緒にプレスされる２つの型板９７１、９７２を含み、それにより、これらの構成要素は、集合した様式の型板９７１、９７２の間の型空洞９７３内に受容される。型板９７１、９７２は各々、ポケット９４０を成形するための、型空洞９７３内の二次空洞９７５を作成する拡大部分９７４を有する。一方または両方の板９７１、９７２は、成形中にガスが出ることを可能にする１つ以上の孔９７８を含み得る。プラグ９７６が、図１２〜１４に示されるように、熱プレス中にバンド９２０を形成する層の間に挿入されて、ポケット９４０の内側形状を形成する。図１２および１４に例示されるように、プラグ９７６は、成形加工中にセンサ開口部９４５を通って延在する突起９７７を含む。熱プレスが完了した後、型板９７１、９７２が分離され、プラグ９７６がポケット９４０から取り外され（開口部９４２などを通して）、構築されたバンド９２０が型９７０から取り外される。追加の製造工程が、次いで、行われてもよい。型９７０およびその構成要素の構造および構成が、異なるサイズ、形状、構造などを有するバンド９２０に対して変更され得ることが理解される。加工が完了した後、アセンブリは、型から取り外され、バンド９２０の最終構造が、平坦な片として構築される。保護シェルが、空洞９４１内に配置されて、モジュール９３０の少なくとも一部分を保護し得、かつ硬質プラスチックまたは繊維強化ポリマー（例えば、熱可塑性ポリウレタン）、金属材料、または他の材料などの、硬質材料で形成され得る。様々な接合、トリミング、および閉鎖用小片が、図６〜７に示される最終形態のバンド９２０を完全に画定するために使用され得る。図６は、モジュール９４０がポケット９４０内に受容されている状態のバンド９２０の一実施形態を例示し、図７は、本明細書のいずれかの箇所に説明される、同様のバンド９２０を例示する。
【００７１】
図１５〜１９のバンド９２０は、バンド９２０とは別に形成され、かつポケット９４０を形成するようにバンド９２０に接続されているハウジング９６３を利用する。ハウジング９６３の一実施形態が、図２３および２４、ならびに２７〜３１に示される。ハウジング９６３は、熱可塑性ポリウレタン（ＴＰＵ）材料で作製され、一実施形態では単一片で（射出成形によって）形成されるが、他の実施形態では、他の材料、複数片、および／または他の技術で部分的または完全に作製されてもよい。本実施形態のハウジング９６３は、空洞９４１を完全に画定し、かつ内壁９４４上の開口部９４２および外壁９４３上の窓９４６を画定する、適度な硬質シェルである。一実施形態では、ハウジング９６３の硬さは、モジュール９３０を保護するために十分に硬質であってもよく、かつバンド９２０のボタン部分９４７を押すことによるボタン９３３の操作を可能にするように十分に可撓性を有してもよい。ハウジング９６３の硬さは、バンド９２０を形成する布地材料の硬さよりも硬くてもよい。ハウジング９６３はまた、図２８に示されるように、バンド９２０の外面９２８上のボタン部分９４７によるボタン９３３の操作を容易にするために、および／またはボタン９３３の「感触」を向上するために、一実施形態では外壁９４３上に突出部９８７を有してもよい。突出部９８７は、ボタン９３３に軽く係合し得るか、またはボタン９３３に近接し得、そのため、ボタン９３３の操作は、ハウジング９６３の隣接部分の少量の動き／撓みを必要とする。図２８の実施形態は、外壁９４３の内面に適用されたエポキシ材料で形成されたドーム形突出部として形成された突出部９８７を有する。他の実施形態では、突出部は、ハウジング９６３と一体的に形成（例えば、成形）されているなどの、異なって形成されてもよく、または異なって構造化されてもよく、もしくは異なって位置してもよい。図２７〜３１に示されるように、例示された実施形態のハウジング９６３は、開口部９４２の周囲に内向きに延在し、かつポケット９４０内にモジュール９３０を保持するように機能する、リップ９６４を有する。図２７、２９および３１に示されるように、開口部９４２は、モジュール９３０の突起９３９と係合して突起９３９を定位置に固定するように構成される狭い部分９６５を有し、リップ９６４は、狭い部分９６５の周囲に位置する凹状部分９６６を有する。凹状部分９６６は、ユーザの皮膚へのより良好なアクセスを有するために、突起９３９がリップ９６４に対して大きく外向きに延在することを可能にする。ハウジング９６３はまた、モジュール９３０のコネクタ９３５を包囲および固定するポケットを形成するように構成された壁９６９を有する。
【００７２】
一実施形態では、ハウジング９６３は、ハウジング９６３の外周の少なくとも一部分の周囲に外向きに延在し、かつバンド９２０への接続のために構成される、フランジ９６７をさらに有する。図２３および２４、ならびに２７〜３１に示される実施形態では、フランジ９６７は、概して、ハウジング９６３の全周の周囲に単一平面で延在する。他の実施形態では、フランジ９６７は、異なる構成（例えば、断続的）を有してもよく、または存在しなくてもよい。概して、図２３および２４、２７〜３１に示されるハウジング９６３の外面は、美観、およびハウジング９６３がユーザの身体に係合したときの快適さの向上の両方のために、平滑な外形である。
【００７３】
ハウジング９６３の窓９４６は、一実施形態では空の通路であってもよく、またはバンド９２０の外面９２８からの物質の侵入に抵抗するために、別の実施形態では透明フィルタであってもよい。さらなる実施形態では、窓９４６は、窓９４６を通る光の伝導を増強するために、光散乱および／または光収集構造を有してもよく、ディスプレイ９３４からの光が様々な広い角度からバンド９２０の外面９２８でより明るく見えるようにする。例えば、窓９４６は、一実施形態では窓９４６と位置合わせされた透明シリコンプリントを含んでもよい。別の例として、窓９４６は、別の実施形態では窓９４６と位置合わせされたシルクスクリーン布地または細かい織り目の材料を有してもよい。さらなる例として、窓９４６は、さらに別の実施形態では、接着剤または音波溶接によって接続されるポリカーボネートフィルムなどの、窓９４６の上に接続されるフィルムを有してもよい。これらの構造が、様々な実施形態では、窓９４６内に位置してもよく、ならびに／または窓９４６の内面および／もしくは外面の上に位置付けられてもよいことが理解される。これは、光をより暗くし得るか、または周辺角度からの検出をより困難にし得る、ディスプレイ９３４の間の大きい壁厚さを有し得る、図２７〜３１に示されるハウジング９６３と使用されるときに特に有利であり得る。
【００７４】
図２０〜４０は、布片から作製され得、布片がそれ自体に折り重ねられて２つの層を形成し、スティッチングおよび／または２つの層の間に塗布された接着剤によって結合され得る、図１５〜１９に示されるバンド９２０を製造する一組の構成要素および方法の一実施形態を例示する。バンド９２０は、別の実施形態では一緒に結合された２つ以上の別々の片から作製され得ることが理解される。バンド９２０は、バンド９２０の部品を一緒に接合する加熱活性化フィルムを用いて、構築に熱プレス動作を使用し得る。図３２〜４０に示される方法の実施形態は、より局所化された熱プレスを利用し、図１１〜１４に関して上記に説明された方法のようにバンド９２０全体を熱プレスすることを含まない。図２０〜３１は、図３２〜４０に例示される方法に使用され得る構成要素を例示し、これらは、図３２〜４０と関連して以下により詳細に説明される。
【００７５】
図２０〜４０の実施形態では、主本体片９５０が、図３２に示されるように、弾性性質（例えば、ポリエチレンベース材料）を有する布地材料から形成（例えば、切断）され、折り畳み線が破線によって示されている。図柄９５８が、所望される場合、図３３に示されるようにスクリーン印刷などによって、バンド９２０の外面９２８に適用され得る。主本体片９５０は、バンド９２０を通って延在し、かつバンド９２０の内面９２７からアクセス可能であるハウジング９６３用の第１の孔９５０Ａと、窓９４６と位置合わせされた、および／またはそれの一部を形成する、第２の孔９５０Ｂと、有する。孔９５０ＡおよびＢは、図３４に示されるように、一実施形態では切断またはレーザエッチングによって主本体片９５０に形成され得、図柄（図柄が適用される場合）の適用前または適用後に形成され得る。中心折り畳み線は、主本体片９５０を、バンド９２０の内面９２７を形成する第１のまたは内側部分９５０Ｄと、バンド９２０の外面９２８を形成する第２のまたは外側部分９５０Ｅとに分割し、主本体片９５０は、内面９５０Ｆおよび外面９５０Ｇを有する（図３２〜４０では影付きで例示される）。外面９５０Ｇは、構築後にバンド９２０の内面９２７および外面９２８を形成し、内面９５０Ｆは、製造中にそれ自体に折り重ねられ、バンド９２０の内面９２７および外面９２８のいかなる部分も形成しない。バンド９２０の内面９２７または外面９２８上で視認可能に構成される図柄９５８は、主本体片９５０の外面９５０Ｇに適用され得ることが理解される。
【００７６】
図３５に示されるように、フレームボンド９８０が第１の部分９５０Ｄの内面９５０Ｆ上の第１の孔９５０Ａの周囲に塗布され、かつハウジング９６３のフランジ９６７に接合するように構成され、ライト位置合わせボンド９８１が、第２の部分９５０Ｅの内面９５０Ｆ上の第２の孔９５０Ｂの周囲に塗布され、かつ窓９４６の周囲でハウジング９６３に接合するように構成される。本構成では、ライト位置合わせボンド９８１は、窓９４６に対する孔９５０Ｂの変位に抵抗し、該変位は、窓９４６を被覆して光路を遮断し得る。ライト整列ボンド９８１が、一実施形態では、図３５に塗布されるように示されているが、ライト位置合わせボンド９８１は、内側および外側部分９５０Ｄ〜Ｅを一緒に折り畳む直前に、図３８に例示される段階で塗布されてもよい。これらのボンド９８０、９８１は、最初に、構築中に構成要素を定位置に固定するために、一実施形態では熱および圧力のわずかな適用によって軽く接合され、次いで、構築中に後から正常に接合され得る。接合材料の小片９６０もまた、主本体片９５０の外側部分９５０Ｅの内面９５０Ｆの縁にわたって配置され、図３５に示されるように、内側および外側９５０Ｄ〜Ｅの縁を折り畳み後に一緒に接合するように構成される。別の接合小片９６８もまた、図３５にも示されるように、追加の強度および構造的支持を完成したバンド９２０の底端９２４に提供するために、中心折り畳み線に沿って内面９５０Ｆ上に配置されてもよい。
【００７７】
ハウジング９６３は、次いで、バンド９２０に接続され得、それにより、フランジ９６７は、孔９５０Ａの外周の周囲に着座し、開口部９４２を含むハウジング９６３の一部分は、図３６に示されるように、孔９５０Ａを通って突出する。フランジ９６７は、一実施形態では、フランジ９６７の一部もしくは全部の周囲にスティッチングする、および／またはフレームボンド９８０に接合することによって、主本体片９５０の内面９５０Ｆに接続され得る。上記のように、一実施形態では、フランジ９６７は、スティッチング前にフレームボンド９８０によって内面９５０Ｆに軽く接合され、次いで、構築中に後からより強固に接合され得る。ハウジング９６３がバンド９２０に接続された後、トリム片９８３が、図３７に示されるように、主本体片９５０の内側部分９５０Ｄの外面９５０Ｇ上に接続され得る。このトリム片９８３は、バンド９２０の内面９２７の一部を形成し、ハウジング９６３と主本体部分９５０との間の接続を被覆する。トリム片９８３は、本明細書に説明されるように加熱活性化材料の形態であり得、一実施形態では定位置に熱プレスされ得、トリム片９８３は、様々な実施形態では、最初に軽くプレスされ、次いで、その後により強固にプレスされてもよく、または初期に完全にプレスされてもよい。
【００７８】
一実施形態では、図２２に示されるように支持片９８２はまた、主本体片９５０の折り畳み前に、ハウジング９６３と主本体片９５０の外側部分９５０Ｅの内面９５０Ｆとの間に位置付けられ得る。図３２〜４０に例示される方法は、この支持片９８２を含まず、支持片９８２（使用される場合）は、一実施形態では図３７および３８の工程間でハウジング９６３および主本体片９５０に接続され得る。支持片９８２は、本明細書に説明される加熱活性化材料の形態であり得、定位置に熱プレスされ得る。支持片９８２は、窓９４６と位置が合った状態で切断された孔（図示せず）を有し得る。この支持片９８２は、図柄がポケット９４０およびハウジング９６３にわたって位置するバンド９２０のエリア上またはその周囲に印刷される場合、図柄のスティッチングまたは歪みに抵抗するために、含められ得る。図柄がこの場所に印刷されない場合、支持片９８２は、含まれなくてもよい。
【００７９】
図４３〜４５は、本明細書に説明される様々な実施形態による、バンド９２０の製造に使用可能であるハウジング９６３の一実施形態を例示する。図４６および４７は、図４３〜４５のハウジング９６３と同様の様式で構成されるハウジング９６３の別の実施形態を例示し、図４３〜４５に関する本明細書の説明は、別途記載されない限り、図４６および４７に等しく適用する。図４３〜４５のハウジング９６３は、ハウジング９６３の壁９９３のうちの１つ以上を通って延在する１つ以上のスロット９９２を含む。ハウジング９６３の壁９９３が空洞９４１を画定し、外壁９４３、内壁９４４、および同様に潜在的に他の壁を含み得ることが理解される。
【００８０】
スロット９９２は、水分がハウジング９６３から容易に出ることを可能にすることによって、使用中のハウジング９６３内の水分（例えば、汗）の蓄積を回避することを助け得る。一実施形態では、ハウジング９６３は、バンド９２０の底端９２４に対して最も近くに位置付けられたハウジング９６３の端、すなわち、バンド９２０が通常の起立位置でユーザの腕に着用されたときに底にあるように構成されるハウジング９６３の端、に位置する少なくとも１つのスロット９９２を含み得る。図４３〜４５のハウジング９６３は、ハウジング９６３が図１６、１７および４０に示される配向でバンド９２０上に装着されたときに、この位置で外壁９４３の底端上にスロット９９２を有する。この位置では、下向きに面するスロット９９２は、重力が水分をスロット９９２に向けて付勢する傾向にあるため、水分通過量の増加を促進する。運動中に腕を振ることによって生成される遠心力もまた、下向きに面するスロット９９２に向けて水分を付勢し得る。ハウジング９６３はまた、様々な実施形態では他の場所に１つ以上の追加のスロット９９２を有してもよい。例えば、ハウジング９６３はまた、図４３〜４５の実施形態のように、内壁９４４の左および右側の一方または両方にスロット９９２を有してもよい。これらの側部スロット９９２もまた、これらのスロット９９２の１つが、ランニングおよび多くの他の運動中に共通であるように、ユーザの腕が９０°の角度で屈曲されたときに下向きに面することになるため、重力および／または遠心力を介して水分通過量の増加を促進し得る。
【００８１】
ハウジング９９２は、他の実施形態では異なる位置に位置する追加のスロット９９２および／またはスロット９９２を有し、これらは、重力および／または遠心力が水分の流れを促進する場所に位置付けられてもよく、またはそこに位置付けられなくてもよい。例えば、ハウジング９６３が別の実施形態で異なる配向に位置付けられた場合、それにより、下向きに面するハウジング９６３の端が、異なる場合がある。そのような実施形態では、スロット９９２は、例えば、図４３〜４５の端スロット９９２のようにハウジング９６３の反対端にスロット９９２を有することによって、水分通過量の増加を促進するために、異なって位置し得る。さらなる実施形態では、ハウジング９６３は、左下および右下の角に位置するスロット９９２を有してもよい。またさらなる構成が他の実施形態で使用されてもよい。
【００８２】
図４３〜４５の実施形態のスロット９９２は、ハウジング９６３の外壁９４３内に形成される。これらのスロット９９２は、外壁９４３の一部を形成し、かつフランジ９６７を横断して延在する、ハウジング９６３の側壁９９３Ａ内に少なくとも部分的にまたは完全に形成されるように考慮され得る。この位置では、スロット９９２は、フランジ９６７から外向きに（バンド９２０の外側９２８に向かって）位置するハウジング９６３の一部分上のみに位置付けられる。本構成は、水分が、ハウジング９６３の内側からハウジングの外部に通過すること、およびバンド９２０の材料によって吸収されることを可能にする。他の実施形態では、スロット９９２は、追加的または代替的にいずれかの箇所に位置してもよい。例えば、ハウジング９６３は、水分がバンド９２０の外部に通過することを可能にする内壁９４４内の１つ以上のスロット９９２を含んでもよく、またはハウジング９６３は、内部にスロット９９２を有し得る他の露出された表面を有してもよい（異なって構成されたバンド９２０などにおいて）。加えて、スロット９９２のサイズは、水分通過性質に影響を及ぼす場合があり、より大きいスロット９９２は、水分蓄積から形成し得る任意のメニスカスを破壊することを補助し得る。一実施形態では、ハウジング９６３の端のスロット９９２は、それが位置する壁９９３（フランジ９６７を含まない）の幅の少なくとも５０％であり得、ハウジング９６３の側壁９９３上のスロット９９２は、各々、それが位置する側壁９９３の長さの少なくとも２０％であり得る。さらに、ハウジング９６３は、水分の孔に向かって移動する能力およびそれが形成し得る任意のメニスカスを破壊する能力を増強するために、ハウジング９６３の内面に塗布された界面活性剤を有してもよい。界面活性剤の使用は、より小さいスロット９９２の使用を可能にし得る。
【００８３】
スロット９９２は、様々な実施形態では、いくつかの異なる形成技術のいずれかを使用して形成され得る。例えば、一実施形態では、スロット９９２は、ハウジングが形成された後に、レーザ切断、機械切断、熱切断、もしくは他の切断技術、機械加工技術、または他の材料除去技術などを使用することによって、ハウジング９６３内に形成されてもよい。別の実施形態では、スロット９９２は、スロット９９２を形成するように構成されたツールを用いてハウジング９６３の材料のプレスまたは成形などによる、形成プロセスの一部として形成されてもよい。例えば、上記のような単一片の射出成形されたＴＰＵハウジング９６３は、スロット９９２を形成する空洞内に射出成形されてもよい。当技術分野で既知の他の技術が同様に使用され得る。
【００８４】
図４１および４２は、図３６に関して本明細書に説明されたように、例えば、スティッチングによって、ハウジング９６３がバンド９２０に接続された後に、ハウジング９６３のフランジ９６７の周囲を熱プレスするように構成された熱プレスアセンブリ９８８の一実施形態を例示する。図４１および４２に示されるように熱プレスアセンブリ９８８は、ハウジング９６３のフランジ９６７の周囲を熱プレスするように構成される２つの対向型片９８９、９９０を含む。バンド９２０は、図４２に概略的に例示され、熱プレスアセンブリ９８８が、ハウジング９６３と併せてバンド９２０を熱プレスするように構成されていることを示す。動作中、第１の型片９８９が、主本体片９５０の内側部分９５０Ｄの内面９５０Ｆ上に位置付けられ、第２の型片９８９が、主本体片９５０の内側部分９５０Ｄの外面９５０Ｇ上に位置付けられる。型片９８９、９９０は、環状の形状であり、各々が、内部開口部９９１を有し、そのため、型片９８９、９９０は、ハウジング９６３のフランジ９６７の周囲のみをプレスするように構成される。本構成では、ハウジング９６３の主本体は開口部９９１内に受容され、そのため、型片９８９、９９０は、ハウジング９６３の主本体またはバンド９２０の隣接部分をプレスせず、これは、熱の適用を局所化し、バンド９２０およびハウジング９６３の非プレス部分上での所望されないマークまたは変色を生じさせることを回避する。図３７に示されるトリム片９８３は、一実施形態では熱プレスアセンブリ９８８の動作前に適用されてもよく、型片９８８、９８９の形状は、示されるようにトリム片９８３の形状に従う。熱プレスアセンブリ９８８は、図３６および３７に示される構築工程の次、かつバンド９２０が図３８（以下に考察される）で折り重ねられる前に、バンド９２０およびハウジング９６３に適用され得る。追加のヒートシール性材料片が、熱プレスアセンブリ９８８に関して、様々な位置に使用されてもよい。例えば、図２２の支持片９８２もまた、本明細書に考察されるように、熱プレスアセンブリ９８８の動作前に適用されてもよい。型片９８８、９８９の構成が、ハウジング９６３およびトリム片９８３の形状および構成（または使用され得る他のヒートシール性材料片）に応じて変化し得ることが理解される。
【００８５】
主本体片９５０は、次いで、折り重ねられ、そのため、内側および外側部分９５０Ｄ〜Ｅが、図３８に示されるように、互いに向かい合う。内側および外側部分９５０Ｄ〜Ｅの外面９５０Ｇは、それぞれ、バンド９２０の内面９２７および外面９２８を形成し、内面９５０Ｆは、本構成ではバンド９２０内に内部に位置する。継目接合小片９６１は、図３９に示されるように、縁を被覆するために、内側および外側部分９５０Ｄ〜Ｅの折り畳まれた端が合致する縁に沿って配置される。一実施形態では、小片９６０、９６１、９６８、フレームボンド９８０、トリム片９８３、ライト位置合わせボンド９８１、および任意選択的に、支持片９８２（存在する場合）は、局所化接合技術などによって、工程のこの時点で完全に接合され得る。例えば、接合は、各片を個々にかつ連続的に接合することによって、または所望される片を所望される場所でプレスし、かつバンド９２０の他の場所をプレスしないように構成されたツール表面を用いて熱プレスすることによって達成され得る。主本体部分９５０は、図４０に見られるように、角度付き縁を形成するように主本体片９５０の端９５０を切断することなどによって、工程のこの時点で決まったサイズに切断され得る。バンド閉鎖用トリム小片９６２は、図４０に示されるように、主本体片９５０の端を一緒に接合して、筒状本体９２１を形成するために使用され得る。一実施形態では、主本体片９５０の端は、まず、筒状本体９２１を形成するように巻かれ、次いで、継目に沿って一緒にスティッチングされ、次いで、バンド閉鎖用トリム小片９６２が、スティッチングを被覆して接続部を固設するように適用される。バンド閉鎖用トリム小片９６２は、構築されたときにバンド９２０の内面９２７および外面９２８の両方の周囲を包み、バンド閉鎖用小片の一実施形態は、図１９により詳細に見ることができる。一実施形態では、閉鎖用トリム小片９６２は、上記の追加の熱プレス動作に続いて、局所的に熱プレスされる。トリム小片９６２のスティッチングおよび接続後、内面９２７上に画定されたポケット９４０を有するバンド９２０の最終構造が形成される。
【００８６】
図８〜１０は、激しい肉体的活動中に使用され得るアームバンド内に挿入されているなどの、衣服または他のデバイスと関連して使用され得るモジュール９３０の一例を示す。モジュール９３０は、本明細書のいずれかの箇所に説明される、コンピュータ構成要素などの１つ以上の機械的、電気的、および／または電気機械的構成要素と、モジュール９３０の構造的構成を形成するケーシング９３１と、を含み得る。モジュール９３０は、プロセッサ、非一時的コンピュータ可読媒体、センサおよび／または送受信機のうちの少なくとも１つを備え得る。１つ以上の構成要素は、図１〜５に示され、かつ上記に説明された、任意の構成要素と同様および／または同一であり得る。当業者は、モジュール９３０およびケーシング９３１が複数の異なる構成を有してもよく、例示が単に代表的なものであることを理解するであろう。
【００８７】
図８〜１０の実施形態では、モジュール９３０は、例えば、心拍センサまたはユーザの別の生理学的パラメータを検知するための他のセンサの形態であり得る、少なくとも１つのセンサ９３２を有する。モジュール９３０は、モジュール９３０がバンドまたは装置内に固設されている間、着用中にユーザの皮膚に接触するように構成され得る。例えば、この例示された実施形態の心拍センサ９３２は、皮膚と接触または近接して最良に機能する光センサである。図８〜１０に示されるように、モジュール９３０のケーシング９３１は、下側９３６上の突起９３９を有し、センサ９３２は、突起９３９の端上に装着されている。突起９３９は、センサ９３２をケーシング９３１の周囲表面から遠くに離れて延在させ、ユーザの身体との連続接触を形成するより良好な性能を可能にする。バンド９２０は、突出部の前面がユーザの皮膚に接触することを可能にする孔を有し得るが、下側９３８の残部は、バンド９２０内に固定されるか、または材料の少なくとも１つの層によってユーザの皮膚から少なくとも分離される。一実施形態では、材料の層は、水分（汗など）をユーザの皮膚上の検知表面から避けて逃がすように構成され得る。他の実施形態では、それは、水分、光、および／または物理的材料が、肉体的活動中に検知表面または場所に接触することを防止するように構成されてもよい。一実施形態では、それは、特定の波長の光を選択的に遮断してもよい。特定の実施形態では、周囲光の少なくとも９５％が、検知表面のすぐ近辺内で遮断される。別の実施形態では、周囲光の少なくとも９９％が、遮断される。これは、光学式心拍センサなどの光センサにとって有利であり得る。当業者は、図１〜５に関して上記に説明されたセンサを含む他のセンサが、本開示の範囲から逸脱せずに、単独、各センサまたは他のセンサとの組み合わせのいずれかで、使用され得ることを理解するであろう。
【００８８】
１つの一般的な実施形態では、モジュール９３０は、例えば、ユーザ作動入力を提供するボタン９３３などの、１つ以上のユーザ入力インターフェースを含み得る。ユーザ入力インターフェースの例は、単一機械的ボタン、例えば、ボタン９３３からなり得、これは、下側９３６の反対の上側９３７上に示される。さらに他の実施形態では、ディスプレイ特徴９３４が、ユーザ入力インターフェースとして構成されてもよい。当業者は、１つ以上のユーザ作動入力がまた、モジュール９３０の１つ以上の送受信機を介して受信され得ることを理解するであろう。例えば、システムは、ユーザが、ボタン９３３を使用することを擬態し得る電子モバイルデバイス上にユーザ入力を入力すること、または代替的にボタン９３３を作動する特定の例で利用可能である機能とは異なる機能を実施することができるように、構成され得る。モジュール９３３は、１つ以上のディスプレイ特徴９３４を備え得る。
【００８９】
一実施形態では、バンドまたは装置のポケット９４０は、少なくとも１つの視覚的印をユーザに提供する、表面上のディスプレイ特徴９３４を有するモジュール９３０を受容するように構成され得る。ディスプレイ特徴９３４は、発光ダイオードなどの単純な光源とすることができる。特定の実施形態では、ディスプレイ特徴の少なくとも１つの光源の照明の色、明度、またはパターンが、ユーザに視覚的指示を提供するように使用され得る。当業者は、ＬＥＤ、ＯＬＥＤ、ＬＣＤなどのより複雑なディスプレイデバイスが利用され得ることをさらに理解するであろう。聴覚および触覚などの他の出力機構は、本開示の範囲内である。
【００９０】
モジュール９３０は、外部デバイスに対する充電および／または接続のための１つ以上のコネクタ９３５をさらに含み得る。一実施形態では、コネクタ９３５は、１つ以上のユニバーサルシリアルバス（ＵＳＢ）標準に適合し得るなどの、シリアルバス接続を含み得る。一実施形態では、コネクタ９３５は、少なくとも、モジュール９３０の１つ以上の送受信機を介して送信され得る同一電子情報を外部デバイスに提供するように構成され得る。
【００９１】
図８〜１０の実施形態のモジュール９３０が、図６および７または１５〜１９に例示されるポケット９４０内に受容されるとき、コネクタ９３５は、シェル９４８（図６〜７）またはハウジング９６３（図１５〜１９）の端内に受容され、ケーシング９３１の下側９３６は、ポケット９４０の内壁９４４と接触して位置付けられ、ケーシング９３１の上側９３７は、ポケット９４０の外壁９４３と接触して位置付けられる。本構成では、突起９３９は、センサ開口部９４５を通って延在して、センサ９３２をユーザの身体と近接して配置し、ボタン９３３は、外壁９４３上の底部分９４７に隣接して位置付けられ、ライト９３４は、窓９４６と位置合わせされて位置付けられて、外壁９４３を介したライト９３４の視認を可能にする。センサ開口部９４５を通って延在する突起９３９は、さらに特定の実施形態では、モジュール９３０を定位置に固定することを補助し得る。本構成では、コネクタ９３５の反対のモジュール９３０の端は、モジュール９３０の取り外しのための把持を容易にするために、アクセス開口部９４２からわずかに突出する。
【００９２】
ケーシング９３１は、ユーザの皮膚に近接してモジュール９３０着用の快適さを向上させるように構造的構成を有し得る。例えば、ケーシング９３１は、薄い外形を作成するように平坦な構成を有し、ユーザの身体上に着用されているときにモジュール９３０をあまり目立たないようにする。別の例として、ケーシング９３１は、快適さを向上させるために、下側９３６および上側９３７上で湾曲した外形、ならびに湾曲したまたは斜めの縁を有し得る。図８〜１０の実施形態のモジュール９３０のケーシング９３１は、快適さを向上させるために、湾曲したまたは斜めの縁を有する。このモジュール９３０は、本明細書に説明されるように利用されてもよく、本明細書に説明されるように追加のまたは代替の特徴を有してもよいことが理解される。図１５〜１９および２７〜３１に例示されるバンド９２０のハウジング９６３は、図８〜１０に例示されるモジュール９３０に適するように構成される。
【００９３】
特定の実施形態では、コンピュータ実行可能命令は、センサもしくはセンサグループの場所、配向、または構成などを考慮して、デバイスまたはシステムを較正するために使用され得る。一例として、モジュール９３０は、心拍センサを含み得る。心拍センサは、バンド上またはその内部に正確に配向されたときに、心拍センサがユーザに対して特定の方向に位置するか、または配向されるように、構成され得る。例えば、心拍センサが光学式心拍センサである場合、それは、皮膚に対してある距離範囲内にあり得る（複数の軸および場所に対して）。さらに、１つ以上のセンサは、バンド内に正確に配向されたときに（例えば、ポケット内に配置されたとき）、センサの接点がユーザ（例えば、その皮膚または代替的にその衣服）と通信するように構成されるように、構成され得る。センサの配向または場所に対する過剰な変動は、不正確および／または不精密なデータを結果としてもたらし得る。特定の実施形態では、生のまたは計算されたいずれかの、１つ以上のセンサ測定値は、センサの適切なまたは好ましい、配向または場所を判定するために利用され得る。
【００９４】
図４８〜５７は、図１５〜１９に例示されたバンド９２０の特徴のうちのいくつかまたは全部を含み、かつ図２０〜４０に例示された方法と同様の様式で製造され得る、バンド９２０との使用のための実施形態を例示する。したがって、既に説明されたものと同様である図４８〜５７のバンド９２０の特徴および製造技術は、簡潔さのために再び説明される必要はない。既に説明された同様の構成要素は、同様の参照番号を使用して参照され得る。
【００９５】
図４８〜５７の実施形態では、バンド９２０は、ハウジング９６３に接続される、および／または別様にポケット９４０内に受容され、モジュール９３０がポケット９４０内に受容された特にモジュール９３０に対する接続のために構成された、入力デバイス１０００を含む。入力デバイス１０００は、その上に、バンド９２０の外壁９４３などを介して、バンド９２０の外面９２８からアクセス可能である１つ以上のボタン１００１を有する。入力デバイス１０００は、図５７に示されるように、外部デバイス１００２との通信のために構成され、上記のコンピュータデバイス２００の構成要素のいずれかを有し得る。一実施形態では、入力デバイス１０００は、外部デバイス１００２との通信のために構成された無線送信機１００３（送受信機の一部であり得る）と、モジュール９３０のコネクタ９３５に対する接続のためのポート１００４と、潜在的に、ボタン１００１、送信機１００３およびポート１００４の動作のための小型メモリおよび／またはプロセッサと、を含む。一実施形態では、入力デバイス１０００は、内部動作システムまたは重要なソフトウェアを含まなくてもよく、入力デバイス１０００は、ボタン１００１を押す順番および／または長さと併せて、単に、ボタン１００１が押された信号を送信するように構成されてもよい。
【００９６】
入力デバイス１０００のボタン１００１は、触覚／機械的ボタン、タッチ画面、感熱性ボタン、またはユーザによる接触を登録することができる他のデバイスを含む、いくつかの異なるタイプのうちの１つとすることができる。ボタン１００１のいくつかのタイプは、動作のために、窓またはバンド９２０の外壁９４３を通る他の通路を必要とし得ることが理解される。図４８〜５７の実施形態では、入力デバイス１０００は、触覚ボタン１００１を含む。入力デバイス１０００は、図４８〜５６に例示され、以下に説明されるように、１つ以上の追加のボタン１００１を含んでもよい。例えば、図４８〜５５の実施形態の各々は、主ボタン１００１Ａおよび任意選択的な追加の容量制御ボタン１００１Ｂを有する。ボタン１００１の動作の様々な技術および方法もまた、以下に説明される。バンド９２０はまた、図５５に示されるように、ボタン１００１をアクティブ化するためにどこを押すかをユーザに伝える、外面９２８上の印１００８を有し得る。
【００９７】
上述された送受信機の一部であり得る送信機１００３は、図５７に例示されるように、１つ以上の外部デバイス１００２との無線通信のために構成される。図４８〜５７の実施形態のうちのいずれかがそのような送信機１００３を有し得ることが理解される。一実施形態では、送信機１００３は、Ｂｌｕｅｔｏｏｔｈ（登録商標）またはＢｌｕｅｔｏｏｔｈ  Ｌｏｗ  Ｅｎｅｒｇｙ（ＢＴＬＥ）送信機とすることができる。他の実施形態では、送信機１００３は、Ｗｉ−Ｆｉ送信機などの、異なる伝送、周波数、プロトコルなどを使用してもよい。
【００９８】
ポート１００４は、任意の接続構造を含み得、ポート１００４の構成は、それが接続されるモジュール９３０の構成に依存し得る。図４８〜５７の実施形態では、ポート１００４は、図７〜１０のモジュール９３０上のＵＳＢコネクタ９３５と接続するように構成されたＵＳＢまたはＵＳＢ互換ポートである。ポート１００４は、ポート１００４が入力デバイス１０００の動作のためにモジュール９３０から電力を引き込むためにのみ構成されてもよく、モジュール９３０とデータを交換しなくてもよいため、一実施形態では典型的なＵＳＢポートのハードウェアの全てを含まなくてもよいことが理解される。別の実施形態では、入力デバイス１０００は、例えば、ポート１００４を介してモジュール９３０から／それにデータを受信および／または送信することと、送信機１００３を介して外部デバイス１００２から／それにデータを受信および／または送信することと、によって、モジュール９３０と外部デバイス１００２との間の無線通信インターフェースとして動作するように構成されてもよい。
【００９９】
入力デバイス１０００は、様々な信号（例えば、警告）をユーザに伝達するために、振動モータまたは他の触覚フィードバックデバイス１００９（図５２に概略的に示される）などの、触覚フィードバック特徴をさらに含んでもよい。入力デバイス１０００は、一様の振動、パルス化された振動などの、異なるタイプの触覚フィードバックを提供するように構成されてもよい。入力デバイス１０００は、外部デバイス１００２から信号を受信して、特定の触覚フィードバックを生成してもよい。一実施形態では、触覚フィードバックを生成するとき、およびどの触覚フィードバックを生成するかの解決は、外部デバイス１００２によって実施され、それにより、入力デバイスは、信号を受信し、触覚フィードバックを生成することのみを必要とする。外部デバイス１００２は、特定のイベント、例えば、着信、緊急警報、活動マイルストーンの到達、または他のイベントの発生において、特定の触覚フィードバックを提供するためにユーザ設定を利用し得る。触覚フィードバックは、以下に説明される様々な用途および機能に関して使用され得る。
【０１００】
入力デバイス１０００は、様々な実施形態では、ポケット９４０および／もしくはハウジング９６３内に位置付けられ得るか、ポケット９４０および／もしくはハウジング９６３に隣接して位置付けられ得るか、ポケット９４０および／もしくはハウジング９６３の一部を形成し得るか、またはモジュール９３０に接続された別の要素であり得る。図４８および４９の実施形態では、入力デバイス１０００は、ハウジング９６３内に恒久的または取り外し可能に接続される別のデバイスである。本実施形態では、入力デバイス１０００は、ハウジング９６３の端内に位置付けられ、開口部９４２（モジュール９３０のコネクタ９３５が受容される）の狭い部分９６５に近接するケーシングの形態であり、ポート１００４は、ハウジング９６３によって画定されたポケット９４０内に面する開口部を有する。この位置では、モジュール９３０は、図５３に概略的に示されるように、コネクタ９３５がポート１００４内に受容されるように、ハウジング９６３内に挿入され得る。入力デバイス１０００は、一実施形態では、接着剤もしくは他の接合技術、締結具、一体成形、または他の技術などによって、ハウジング９６３内に恒久的に接続されてもよい。入力デバイス１０００は、別の実施形態では、ハウジング９６３内に取り外し可能に接続され得る。そのような取り外し可能な入力デバイス１０００は、図５３〜５６に示され、以下に説明されるように、モジュール９３０の接続または接続解除のためにハウジングから取り外され得る。代替的に、そのような取り外し可能な入力デバイス１０００は、入力デバイス１０００および／もしくはハウジング９６３上の解放可能な保持構造、入力デバイス１０００を活動中に定位置に保持するか、もしくはモジュール９３０をポート１００４から取り外すために十分である高摩擦嵌合、または他の取り外し可能な構成などによって、モジュール９３０が接続および接続解除される際にハウジング９６３内に保持されてもよい。ハウジング９６３はまた、ボタン１００１に対するアクセスを容易にする特徴を有し得る。例えば、図４９に示されるように、ハウジング９６３は、ボタン１００１に対するアクセスを可能にするように、外壁９４３上に１つ以上の開口部１００５を有する。別の実施形態では、ハウジング９６３は、ボタン１００１に隣接する外壁９４３の内面上に１つ以上の突出部を有し得、そのため、ハウジング９６３上に加えられる力は、上記の突出部９８７と同様、ボタン１００１を確実にアクティブ化し得る。
【０１０１】
図５０および５１の実施形態では、入力デバイス１０００は、ハウジング９６３の一部を形成するか、またはハウジング９６３との一体構造の一部を形成する。本実施形態の入力デバイス１０００は、開口部９４２の狭い部分９６５に近接するハウジング９６３の一端を形成し、ハウジング９６３の形状と実質的に連続する外側形状および外形を有する。図５０および５１に示されるように、入力デバイス１０００は、ハウジング９６３のフランジ９６７と連続的であるフランジ９６７を有する。入力デバイス１０００は、ハウジング９６３と結合され、ハウジング９６３は、ポケット９４０と連通する、入力デバイス１０００に隣接する開放端１００６を有し、それにより、入力デバイス１０００のポート１００４は、ハウジング９６３によって画定されるポケット９４０と連通して配置される。本構成では、モジュール９３０のコネクタ９３５は、図５２に概略的に示されるように、モジュール９３０がハウジング９６３内に挿入されたときに、ポート１００４内に受容される。入力デバイス１０００は、本明細書のいずれかの箇所に説明される恒久的または取り外し可能な接続技術のうちの１つを使用することによって、一実施形態ではハウジング９６３内に恒久的に接続されてもよく、別の実施形態ではハウジング９６３内に取り外し可能に接続されてもよい。本実施形態では、ボタン１００１は、図５１に示されるように、入力デバイス１０００の外面上に位置付けられ得る。
【０１０２】
図５３および５４の実施形態では、入力デバイス１０００は、モジュール９３０と併せてハウジング９６３およびポケット９４０内への挿入およびそれらからの取り外しのために構成される別のデバイスである。これらの実施形態の各々の入力デバイス１０００は、モジュール９３０のコネクタ９３５をハウジング９６３の外側のポート１００４内に挿入し、次いで、モジュール９３０および入力デバイス１０００をハウジング９６３内に同時に挿入することによって、モジュール９３０に接続されるケーシングの形態である。一旦挿入されると、入力デバイス１０００は、図４８に示される位置と同様、開口部９４２の狭い部分９６５に近接する、ハウジング９６３の一端内に位置付けられる。接続された構造１００７を形成するための入力デバイス１０００に対するモジュール９３０の接続およびハウジング９６３によって画定されるポケット９４０内への接続された構造１００７の挿入は、図５６に概略的に示される。図５３の入力デバイス１０００は、主に容量制御ボタン１００１Ｂの場所において、図５４の入力デバイス１０００とは異なり、容量制御ボタン１００１Ｂは、図５３の実施形態では入力デバイス１０００の上面上に位置し、図５４の実施形態では入力デバイス１０００の側面上に位置する。ハウジング９６３およびバンド９２０が、開口部１００５、突出部９８７、印１００８などを含む、ボタン１００１を操作するための特徴の効果的な場所などによって、図５３および５４の入力デバイス１０００のいずれかとの使用のために構成され得ることが理解される。
【０１０３】
図４８〜５６の入力デバイス１０００は、図１５〜１９に例示されるようにバンド９２０に関して使用可能であり、かつ図２０〜４０に例示されるように製造されるように、図示および説明される。他の実施形態では、本明細書に説明される入力デバイス１０００の様々な実施形態が、本明細書に説明されるバンド９２０の他の実施形態、例えば、図６および７に示されるバンド９２０と利用され、本明細書に説明されるように製造され得る。入力デバイス１０００および／またはバンド９２０が、そのような組み合わせに対して好適な機能を提供するように修正され得ることが理解される。
【０１０４】
上記のように、入力デバイス１０００は、図５７に示されるように、送信機１００３を介した外部デバイス１００２との通信のために構成される。外部デバイス１００２は、上記のコンピュータデバイス２００の任意の構成要素を含み得、肉体的活動中にユーザによって持ち運ばれ得るか、またはその近くに位置付けられ得る、携帯電話または他のモバイルデバイスとすることができる。また上記のように、入力デバイス１０００は、ボタン１００１を押す順番および／または長さを含む、ボタン１００１のアクティブ化を示すボタン入力を含む信号を外部デバイスに送信するように構成され得る。外部デバイス１００２は、入力としてボタン入力を受信し、ボタン入力に基づいてさらなる作用を行うように構成されたソフトウェアを含み得る。例えば、外部デバイス１００２上のソフトウェアは、ボタン１００１を押す特定の順番（例えば、シングル、ダブル、またはトリプルタップ）を異なる信号として解釈し得る、および／またはボタン１００１の長押しをボタンタップとは異なるように解釈し得る。さらに、外部デバイス１００２は、ボタン入力を異なる目的のための異なる入力として解釈および使用するようにプログラムされ得、デバイス１００２は、ボタン入力の解釈を統御する様々なプログラムされたおよび／またはユーザ設定された設定を含み得る。外部デバイス１００２は、設定に従って、ボタン入力によって制御および／または影響され得る、様々な用途および機能を含み得る。
【０１０５】
入力デバイス１０００は、複数の外部デバイス１００２と通信し得、同時または代替的のいずれかで、モジュール９３０は、入力デバイス１０００および／または外部デバイス１００２と通信し得る。入力デバイス１０００および／または外部デバイス１００２はまた、ビデオおよび／または静止画を捕捉することができ得る身体装着カメラなどの外部カメラ１００８と通信し得る。入力デバイス１０００および／または外部デバイス１００２はまた、追加のデータの収集および／または通信のために、図４および５に示され、本明細書に説明されるアセンブリ４００、３０４などの１つ以上のアセンブリと通信し得る。外部デバイス１００２が、異なるタイプの入力デバイス、例えば、モジュール９３０、図４に示されるアセンブリ４００または他の着用可能なアセンブリ（例えば、スマートウォッチ）からボタン入力を受信し得、本明細書に説明される外部デバイス１００２の方法、機能、および動作が、本明細書に説明される実施形態による入力デバイス１０００との使用に限定されないことが理解される。入力デバイス１０００または任意の他の入力デバイスからの入力なしで外部デバイス１００２によって動作され得る機能および用途の例としては（限定せずに）、情報の記憶および削除、１つ以上の他のデバイスへの信号の送信、電話発信の開始、応答、または終了、テキスト、写真、またはビデオメッセージの送信、ウェブサイト、ソーシャルメディアアウトレット、ブログ、ＲＳＳフィードなどへの情報の投稿、特定の人々のグループおよび／または他のデバイスとの情報の共有、場所信号の送信、外部デバイス１００２によって再生されている音楽および／またはビデオの制御、外部デバイス１００２の内蔵カメラまたは外部カメラを含む、外部デバイス１００２と関連付けられたカメラの制御、モジュール９３０との相互作用、モジュール９３０から受信したデータの送信、外部デバイス１００２および／または入力デバイス１０００の電源オンまたはオフ、ならびに他の機能が挙げられる。外部デバイス１００２に対する入力デバイス１０００の機能は、外部デバイス１００２上の設定によって統御され得る。またさらに、外部デバイス１００２によって実施される情報のいくつかの処理は、他のデバイスからのさらなる情報を処理および受信するために別のデバイス（例えば、サーバ）に情報を送信することを含み得ることが理解される。
【０１０６】
他の実施形態では、本明細書に説明される構造および方法の態様が、本明細書に説明されるバンドの範囲を超えて、衣服の物品または他の着用可能な物品に関して使用および／または適合され得る。例えば、図７８〜８０に例示されるように、ハウジング２０は、シャツまたはジャケットの形態の衣服の物品１０に接続され得る。ハウジング２０は、本明細書に説明されるモジュール９３０の態様のうちの少なくともいくつかを含み得る電子モジュール８０を係合させるように構成され、電子モジュール８０は、上記の任意の機能を達成し、かつ上記の様々なネットワーク環境内で動作するように構成され得る。一実施形態では、衣服の物品１０は、１つ以上の電動構成要素１４を含み、電子モジュール８０の機能は、電動構成要素１４に給電することを含む。本実施形態のハウジング２０および／または衣服の物品１０は、ハウジング２０と電動構成要素１４との間の電気接続を確立して、モジュール８０が、ハウジング２０と係合されたときに、構成要素１４を給電することを可能にするように、様々な接続構造を含む。
【０１０７】
衣服の物品１０の一例は、物品１０上に装着され、かつ肩領域内に位置付けられた、ハウジング２０を有する上半身用衣類（例えば、シャツまたはジャケット）の形態で図７８〜８０に示される。ハウジング２０および本明細書に説明される他の態様は、シャツ、パンツ、ボディスーツ、上着、履物、帽子、手袋、ベルトなどの従来の衣服の物品、またはアームバンド、ウエストバンド、ハーネス、もしくは他の着用可能な物品などの、ハウジング２０を支持するように具体的に設計される専用の衣服の物品を含む、任意の衣服の物品１０と使用され得ることが理解される。一実施形態では、物品１０は、それに接続された少なくとも１つの電動構成要素１４を有する。図７８〜８０に例示される物品１０は、発光デバイス１８、例えば、発光ダイオード（ＬＥＤ）または他のデバイスの１つ以上のアレイ１６の形態の電動構成要素１４を含む。物品１０は、図７８〜８０の各腕部分１５の前腕エリア上に位置するアレイ１６を有する。一組の導電性リード１７（例えば、＋／−または電源／接地）が、各アレイ１６に接続され、アレイ１６の発光デバイス１８の全てに電力を供給するように構成される。図７８〜８０の実施形態のリード１７は、波またはジグザグパターンで構成され、弾性変形可能な材料上に装着される。本構成は、リード１７を損傷せずにスティッチングおよび撓ませることを可能にし、これは、リード１７が使用中に動くかまたは撓む物品１０のエリアにわたって延在するときに有利である。リード１７は、アレイ１６または他の電動構成要素１４を給電するための電源まで延在し、図７８〜８０の実施形態では、リード１７は、ハウジング２０まで延在して、モジュール８０が電源として機能することを可能にする。衣服の物品１０が、物品１０と、構成要素１４、ハウジング２０、および他の特徴と、を含む、アセンブリの一部であると見なされ得ることが理解される。
【０１０８】
ハウジング２０の実施形態の一例が、図６３〜７５に例示される。ハウジング２０は、物品１０とは別に形成され、接合、機械的接続、またはそれらの組み合わせなどによって、物品１０に接続される。ハウジング２０は、モジュール８０を係合させ、保持するように構成され、モジュール８０がハウジング２０内に係合されたときのモジュール８０に対する電気接続のために構成されたインターフェース３１を形成する電気接続構造３０と併せてハウジング２０を含むハウジングアセンブリ１９の一部として提供され得る。図６３〜７５の実施形態では、ハウジング２０は、モジュール８０を受容するために構成されたチャンバ２２を画定する容器２１を備えるが、ハウジング２０は、別の実施形態では異なる構造を使用してモジュール８０を係合させ、保持し得る。ハウジング２０は、熱可塑性ポリウレタン（ＴＰＵ）材料で作製され、一実施形態では射出成形によって形成されるが、他の実施形態では、他の材料および／または他の技術で部分的または完全に作製されてもよい。一実施形態では、容器２１は、射出成形によって単一片で形成される。本実施形態の容器２１は、チャンバ２２を画定する壁２３を有し、またチャンバ２２に対するアクセスを提供するアクセス開口部２４を有する、適度の硬質のシェルである。一実施形態では、容器２１の硬さは、モジュール８０を保護するために十分であり得る。容器２１を形成する材料の硬さは、物品１０を形成する材料の硬さよりも硬くすることができる。図６３〜６６に示されるように、例示された実施形態のハウジング２１は、アクセス開口部２４の少なくとも一部分の周囲に内向きに延在し、かつチャンバ２２内にモジュール８０を保持するように機能する、リップ２５を有する。容器２１の壁２３は、本明細書により詳細に説明されるように、モジュール８０（例えば、コネクタ８１）の一部分を包囲および保持するように構成される。図６３〜６６の実施形態では、壁２３のうちの１つが、この包囲を形成するように容器２１の上側２７にわたって延在し、それにより、壁２３およびリップ２５が、上側２７上にアクセス開口部２４を画定する。
【０１０９】
一実施形態では、ハウジング２０は、容器２１の外周の少なくとも一部分の周囲に外向きに延在し、かつ物品１０に対する接続のために構成される、フランジ２６をさらに有する。図６３〜７５に示される実施形態では、フランジ２６は、概して、ハウジング２１の全周の周囲に単一平面で延在する。他の実施形態では、フランジ２６は、異なる構成（例えば、断続的）を有してもよく、または存在しなくてもよい。概して、図６３〜７５に示されるハウジング２０の外面は、美観、およびハウジング２０がユーザの身体に係合したときの快適さの向上の両方のために、平滑な外形である。ハウジング２０はまた、上側２７の反対の底側２８を有する。図６３〜７５の実施形態では、壁２３は、電気接続構造３０がハウジング２０に入ってインターフェース３１と接続することを可能にするように底側内に画定された第２の開口部または空洞開口部２９を有して、底側２８の大部分を形成する。
【０１１０】
一実施形態では、ハウジング２０は、容器２１に接続され、かつインターフェース３１を形成するようにチャンバ２２に露出されることになる電気接続構造３０の一部分を固定および支持する、キャリア４０をさらに含む。キャリア４０は、図６３〜７５の実施形態では容器２１とは別の部品として形成され、機械的係合構造によって容器２１に接続される。本実施形態のキャリア４０は、キャリア４０の横側から外向きに延在し、かつ容器２１の横側上の壁２３の内側上に位置する係合表面４２を係合させて、キャリア４０を容器２１に関して保持する、２つの保持タブ４１を有する。この係合は、図７４に示され、係合表面４２は、容器２１の壁２３上のスロット４３内に画定され、ここにタブ４１が受容される。本実施形態では、キャリア４０は、タブ４１がスロット４３内に受容されるまで、容器２１の底側２８上の空洞開口部２９を通して挿入され、タブ４１は、この挿入を補助するように傾斜表面を有する。本実施形態では、他の機械的係合構造（別々のコネクタまたは締結具を含む）および／または溶接、接合などの他のタイプの接続構造を含む、追加の接続構造が使用されてもよいことが理解される。他の実施形態では、キャリア４０は、上記の任意の構造またはそのような構造の組み合わせを含む、異なる接続構造および／または技術を使用して容器２１に接続されてもよい。
【０１１１】
キャリア４０は、チャンバ２２と連通する、容器２１の内側の空洞５２内に少なくとも部分的に受容され、キャリア４０が、電気接点３４をチャンバに対して露出されるように位置付けることを可能にする。キャリア４０の構造は、チャンバ２２内に延在する棚板４６を含み、キャリア４０は、電気接点３４を収容するように棚板４６を通って延在するスロット４９を有している。キャリア４０はまた、図７１〜７３に示されるように、棚板４６の後端および柱４７から前方に延在するベース４８に依存する柱４７を含み、それにより、キャリア４０は、Ｃ字形を有する。モジュール８０のコネクタ８１は、図７２に例示されるように、モジュール８０が、一実施形態でチャンバ２２内に受容されたときに、棚板４６とベース４８との間で受容され得る。加えて、図６３〜７５の実施形態のベース４８の一部分は、図７３に示されるように、さらに前方に延在し、容器２１と嵌合して、容器２１の壁の下に延在する。本構成は、キャリア４０と容器２１との間に、より安定した複数点接続をもたらす。さらなる実施形態では、キャリア４０は、異なる構造を有し得る、および／またはキャリア４０は、容器２１と、または容器２１の一部分と一体的に形成され得、そのため、キャリア４０は、別の部品ではない。電気接続構造３０の一部分を支持するためのキャリア４０のさらなる構造が以下により詳細に説明される。
【０１１２】
電気接続構造３０は、概して、モジュール８０がハウジング２０と係合されたときにモジュール８０に対する外部構成要素（例えば、電動構成要素１４および／またはリード１７）の電気接続のための経路を作成する。図６３〜７５の実施形態では、電気接続構造３０は、互いに別々であり、かつインターフェース３１の電気接点３４を形成するようにチャンバ２２内に露出された部分を有する、２つの接点部材３２、３３を含む。接点部材３２、３３の数が、モジュール８０上のアクティブ端子８３の数と同一であり得ることが理解される。例えば、図６３〜７５のインターフェース３１は、２つの電気接点３４（電源／接地または＋／−）を有し、コネクタ８１は、以下により詳細に説明されるように、２つのアクティブ端子８３を有する。図６３〜７５に例示された接点部材３２、３３は、各々、外部構成要素（例えば、リード１７）に接続されるように構成された接点パッド３５と、接点パッド３５からチャンバ２２内に延在して、電気接点３４を形成するアーム３６と、を含む。一実施形態では、アーム３６および接点部材３２、３３は、それら自体が、各々、図６８および６９に示されるように、接点パッド３５と電気接点３４との間で１８０°の屈曲を形成し、アーム３６は、容器２１の底側２８に沿って延在し、次いで、容器２１内に上向きに延在し、次いで、チャンバ２２内に戻って、電気接点３４を形成する。本実施形態の接点３４は、チャンバ２２内に延在し、かつコネクタ８１上に下向きの力を加えて、堅固な接触を維持する、接点ばねとして構成され、一方でコネクタ８１の形状に適応するように上向きに撓むことができるが、他の実施形態では異なって構成されてもよい。一実施形態の接点部材３２、３３は、各々、板金材料の単一ブランク材から作製され、これは、切断、スタンピング、パンチング、ベンディングなどの様々な形成動作によって接点部材３２、３３に形成される。これは、接点部材３２、３３が迅速かつ容易に低コストで製造されることを可能にする。他の実施形態では、接点部材３２、３３は、異なる材料でおよび／または異なる技術によって形成されてもよい。
【０１１３】
接点パッド３５は、アーム３６に対して拡大された幅を有するように図６７〜６９に示され、リード１７または他の外部構成要素の接続のための大きい表面を提供する。接点パッド３５に対するリード１７の接続は、リード１７と、リード１７が接点パッド３２、３３と連通し、それによってインターフェース３１と連通して接続される、構成要素と、を配置する。図６７に示されるように、接点パッド３５は、容器２１の底側２８の幅の半分よりも大きい幅を有し得、接点パッド３５は、重なる幅によって千鳥状にされ、容器２１の底側２８の境界内で最大接触面積を提供する構造（例えば、角度付きの表面）を有する。
【０１１４】
接点パッド３５は、様々な異なる構造を使用してリード１７に対する接続のために構成され得、特定のタイプのリード１７（例えば、ワイヤ、布地、糸、導電性トレースなど）に対してさらに特に適し得る。接点パッド３５は、各々、一実施形態の突起３７の周囲に巻き付くことによるリード１７の接続のための少なくとも１つの突起３７を有してもよい。図６３〜７５の実施形態では、各接点パッド３５は、２つの突起３７を有し、リード１７は、図８１に示されるように、両方の突起３７の周囲に巻き付くことによって接続される。他の実施形態では、接点パッド３５は、異なる場所に位置し得、外部構成要素との接続を形成するように機能する任意の構造を有し得る。例えば、図７６の接点パッド３５は、中央スロット５４を有するリッジ付き構造を有し、外側（例えば、ワイヤリード）の周囲のリード１７の巻き付き、またはスロット５４を介したリード１７の糸通し（例えば、導電性糸リードを縫い付ける）を可能にする。別の例として、図７７の接点パッド３５は、一対のスロット５４を有し、これは、スロット５４の間のリード１７の巻き付き、または両方のスロット５４を通るリード１７の糸通しを可能にし得る。さらなる例として、リード１７は、図８８に示されるように、中間導体５５に接続され得、中間導体５５は、次いで、接点部材３２、３３に接続される。図８８の実施形態では、リード１７は、導電性糸リードであり、中間導体５５は、導電性布地片である。本構成のリード１７は、中間導体５５に縫い付けられ／スティッチングされ、中間導体５５は、次いで、２つの接点部材３２、３３の接点パッド３５に縫い付けられ／スティッチングされ、図７７に示されるように構成され得る。他の実施形態では、異なって構成されるリード１７および／または接点部材３２、３３に関するものを含む、中間導体５５の他のタイプおよび構成が使用されてもよい。図７６〜７７および２６の実施形態の接点部材３２、３３が、別様に、図６３〜図７５の接点部材３２、３３と実質的に同様に、または本明細書に説明される任意の他の実施形態に従って、構成されてもよいことが理解される。
【０１１５】
図６７および７３に例示されるように、本実施形態の接点パッド３５は、ハウジング２０の外部にあり、容器２１の底側２８に隣接して位置付けられており、アーム３６は、ハウジング２０の外側から容器２１の壁２３のうちの１つを通って（例えば、空洞開口部２９を通って）、チャンバ２２内に延在する。加えて、接点部材３２、３３は、各々、一実施形態ではハウジング２０に対する接続のための装着構造を有する。図６８〜７４の実施形態に示されるように、キャリア４０は、背面上に２つの支柱４４を有し、接点部材３２、３３のアーム３６は、各々、支柱４４のうちの一方を受容する受容部３８を有する。受容部３８を取り囲むアーム３６の部分は、拡大され、受容部３８は、本実施形態では圧入接続で支柱４４を受容するように構成される。一実施形態では、接点部材３２、３３が、構築完了後、接点部材３２、３３を定位置に固定するために、より多数の接続および／または支持点を備えてもよいこと、ならびに装着構造（例えば、支柱４４および受容部３８）が、一実施形態では、構築中、かつ容器２１に対するキャリア４０の接続前に、接点部材３２、３３をキャリア４０に接続するために使用されてもよいことが理解される。接点部材３２、３３は、他の実施形態では追加のまたは異なる装着構造を有してもよい。
【０１１６】
図８４に例示される別の実施形態では、接点部材３２、３３は、ハウジング２０の外側上に位置しない接点パッド３５を有し得る。本実施形態では、接点パッド３５は、キャリア４０の後壁に沿って、かつ構築後に空洞５２内に位置する。図８４に示されるように、電気接点３４は、本実施形態では接点パッド３５から直接延在する。リード１７は、図８４では接点パッド３５に溶着されているように示されるが、接点パッド３５は、他の実施形態では他の接続構造を備えてもよい。図８４の接点パッド３５は、以下により詳細に説明されるように、キャリア４０に対する接続のための装着構造３８をさらに含む。
【０１１７】
キャリア４０は、装着構造３８、４４に加えて、モジュール８０に対する接続のためにハウジング２０のチャンバ２２に露出される位置に、接点部材３２、３３の電気接点３４を位置付けるように構成される。一実施形態３では、電気接点３４は、図６９〜７４に示されるように、キャリア４０内のスロット４９内に受容される。本実施形態の接点部材３２、３３のアーム３６は、上記のようにキャリア４０の背面に沿って延在し、スロット４９は、キャリア４０の後部まで通って延在し、それにより、電気接点３４は、スロット４９内に前方に延在し、スロット４９内に少なくとも部分的に受容される。スロット４９は、電気接点３４がキャリア４０の棚板４６の下のチャンバ２２に露出されることを可能にし、一方でまた、モジュール８０によって係合されたときに必要な場合、接点３４が上向きに撓むための空間を提供する。本構成のキャリア４０は、モジュール８０に対する位置付けまたは位置合わせ機能の両方、電気接点３４およびモジュールコネクタ８１の両方を接続用の定位置に位置付けること、ならびに電気接点３４に対する保護機能を提供する。キャリア４０および／または接点部材３２、３３は、他の実施形態では異なる構造を有してもよく、位置付けおよび保護機能を容易にするように相補的構造を有してもよい。
【０１１８】
実施形態の一例では、ハウジング２０は、以下により詳細に説明されるように、ハウジング２０に接続され、かつモジュール８０が容器２１と係合されたときに、モジュール８０と相互作用するように構成された、磁石５０を含む。磁石５０は、磁石５０の磁場がチャンバ２２を貫通するように位置付けられる。図６３〜７５の実施形態のハウジング２０は、キャリア４０と係合され、かつチャンバ２２に隣接してキャリア４０上の凹部５１内に受容される、磁石５０を含む。凹部５１は、図６９〜７３に例示される実施形態では柱４７から遠位である、ベース４８の遠位端上に位置する。本実施形態の磁石５０は、ハウジング２０内に埋設され、かつチャンバ２２に物理的に露出されず、磁石５０とチャンバ２２との間に位置付けられた容器２１の壁２３のうちの１つ、および磁石５０が、図７３に例示されるように、壁２３の外面上に位置付けられている。磁石５０は、一実施形態ではキャリア４０および容器２１の隣接壁２３の両方による係合によって凹部５１内に固定され得る。接合材料、機械的保持構造、締結具などを含む、追加または代替の保持構造が、他の実施形態で使用されてもよい。他の実施形態では、磁石５０は、キャリア４０内または容器２１の壁２３内などの、ハウジング２０内に一体成形されてもよく、または磁石５０は、異なる構造を使用してキャリア４０上に装着されてもよい。追加の実施形態では、磁石５０は、容器２１上に装着され得る、および／または磁石５０は、磁石５０の少なくとも一部分がチャンバ２２内に物理的に露出されるように位置付けられ得る。
【０１１９】
ハウジングアセンブリ１９は、まず、接点部材３２、３３および磁石５０をキャリア４０に接続することによって、一実施形態に従って構築される。図６３〜７５の実施形態では、磁石５０は、磁石５０を凹部５１の内側に配置し、任意の接合材料または他の保持構造を適用することによって、固設され得る。接点部材３２、３３は、支柱４４が受容部３８内に受容され、かつ電気接点３４がスロット４９内に受容された状態で、図６９〜７１に示される位置に接点部材３２、３３を配置することによってキャリア４０に接続され得る。キャリア４０、ならびにキャリア４０に接続された磁石５０および接点部材３２、３３を含むサブアセンブリは、次いで、容器２１に接続され得る。この接続は、キャリア４０を容器２１内の空洞５２内に挿入することによって達成され得る。図６３〜７５の実施形態では、キャリア４０の挿入は、保持タブ４１を、スロット４３内に摺動させ、係合表面４２に係合させて、キャリア４０を空洞５２内で保持させる。この様式で接続されたとき、接点部材３２、３３の一部分は、キャリア４０と空洞５２を画定する容器２１の表面との間で係合され、磁石５０は、キャリア４０と容器の隣接壁２３との間で係合され、これは、キャリア４０および磁石５０と接点部材３２、３３との間の接続に安定性を付加する。キャリア４０の底部および空洞５２の開口部２９は、次いで、図７５に示されるように、被覆部材５３で被覆され得る。被覆部材５３は、例えば、ハウジングアセンブリ１９の構成要素に接着する、一区画の材料または塗布されたコーティングとすることができる。追加的に、被覆部材５３は、耐湿性であってもよく、かつ水分、泥、もしくは他の異物の侵入に対して空洞をシールするように機能してもよく、および／または短絡に対して接点部材３２、３３を絶縁するように電気絶縁性を有してもよい。この段階でのハウジングアセンブリ１９は、次いで、着用可能な物品１０に接続され得る。
【０１２０】
一実施形態では、リード１７は、物品１０に対するハウジングアセンブリ１９の接続前に接点部材３２、３３に接続される。上で考察されるように、リード１７は、一実施形態では接点部材３２、３３上の接点パッド３５に接続され、リード１７は、図８１に示される実施形態では接点パッド３５上の突起３７の周囲に巻き付くことによって接続される。他の実施形態では、リード１７は、図７６、７７、８４および８８に示される構成などの別の構成では、接点部材３２、３３に接続され得る。代替的に、リード１７は、ハウジングアセンブリ１９が物品１０に接続された後に接点部材３２、３３に接続されてもよい。別の実施形態では、ハウジング２０は、図８２および８３に示されるなどの、物品１０に対するハウジング２０の接続後に、リード１７および接点パッド３５にアクセスするアクセス特徴を提供され得る。図８２は、容器２１が、容器２１の底側２８を形成する壁２３を通って延在する開口部７０を有する、ハウジング２０を例示し、リード１７および接点パッド３５に対するチャンバ２２内からのアクセスを提供する。開口部７０は、感電および／または異物に対する保護を行うために、所望されるアクセスが完了したときにカバー７１でシールされ得る。カバー７１は、液体シール剤、樹脂充填剤、または容器２１に接続されたカバー片などの、チャンバ２２の内面上に適用されるものであり得、カバー７１は、恒久的であってもよく、または取り外し可能であってもよい。
【０１２１】
実施形態の一例では、ハウジングアセンブリ１９は、ハウジングアセンブリ１９を物品１０に接合することによって、物品１０に接続される。図８５〜８７は、ハウジング２０の少なくとも一部分上で熱プレス動作を使用してハウジングアセンブリ１９を物品１０に接合するための方法および熱プレスアセンブリ６０の一実施形態を例示する。熱プレスは、加熱活性化フィルムなどの接合材料６１を利用し得る。図８６および８７の熱プレスアセンブリ６０は、ハウジング２０のフランジ２６の周囲を熱プレスするように構成され、フランジ２６は、物品１０の隣接部分を形成する布地または他の材料の少なくとも上層６２と底層６３との間でプレスされている。上層６２および底層６３は、別々の部品であってもよく、または両方の層６２、６３を作成するために折り畳まれている単一片の一部であってもよい。追加の層が使用されてもよく、図８５〜８７に示される実施形態の上層６２および底層６３が、それぞれ、複数の上層６２または底層６３を含んでもよいことが理解される。図８５〜８７に示される熱プレスする前に、接合される構成要素は、ハウジング２０のフランジ２６の上側および底側の周囲に塗布された接合材料６１を有し、かつ上層６２および底層６３が、それぞれ、フランジ２６の上側の上および底側の下に位置付けられるなどの、接合のための層状構成に構築される。一実施形態では、ハウジングアセンブリ１９は、まず、動作中にハウジングアセンブリ１９を固定するために、一時的な接続によって、例えば、スティッチングによって、物品１０の一方または両方の層６２、６３に接続され得る。
【０１２２】
図８６および８７に示されるように熱プレスアセンブリ６０は、２つの対向する型片６４、６５を含み、それらは、環状の形状であり、各々が、内部開口部６６を有し、そのため、型片６４、６５は、ハウジング２０のフランジ２６の周囲のみをプレスするように構成される。本構成では、ハウジング２０の主本体が開口部６６内に受容され、そのため、型片６４、６５は、ハウジング２０の主本体または層６２、６３の隣接部分をプレスせず、これは、熱の適用を局所化し、物品１０およびハウジング２０の非プレス部分上での所望されないマークまたは変色を生じさせることを回避する。図８５〜８７に示される実施形態では、材料の層６２、６３は、容器２１の上側２７および底側２８の両方を被覆する。本構成では、孔またはスリット（図示せず）が、上層６２内に形成されて、インターフェース３１に対するアクセスを提供し、別の孔またはスリット（図示せず）が、底層６３内に形成されて、接点パッド３５に対するアクセスを提供する。上層６２は、図８９および９１に示されるように、容器２１のチャンバ２２内に押し下げられ得、接点部材３２、３３のアーム３６および接点パッド３５は、図８１および９１に示されるように、底層６３を通って延在し、底層６３の下に位置し得る。一実施形態では、上層６２は、図９１に示される場所６７などで、上層６２と容器２１の１つ以上の内面との間の追加の接合材料の塗布などによって、容器２１のチャンバ２２内でハウジング２０にさらに接合され得る。追加の接合材料は、所望の場所内の熱プレスに対する上型６４の修正によって、または同一もしくは後続の熱プレス動作での別の型（図示せず）の使用によってのいずれかで熱プレスされ得る。代替的に、にかわ、セメント、または他の接着剤などの追加の接合材料は、熱プレスを必要としない場合がある。ハウジング２０の他の部分は、同様の様式で層６２、６３に接合され得る。別の実施形態では、図９０に示されるように、容器２１のアクセス開口部２４と略同一サイズの開口部６８などの、より大きい開口部が、上層６２に切削され得る。
【０１２３】
リード１７が接点部材３２、３３に接続され、ハウジングアセンブリ１９が物品１０に接続された後、絶縁材料６９が、図８１に示されるように、一実施形態では、電気接続構造３０の露出された部分の一部または全部を被覆するように塗布され得る。本実施形態では、絶縁材料６９は、少なくとも接点パッド３５とリード１７に対する接続とを被覆する。図８１の実施形態の絶縁材料６９は、被覆部材５３によってまだ被覆されていない、接点パッド３５、および接点部材３２、３３のアーム３６の一部分と、リード１７の一部分とを含む、ハウジング２０の外側上に露出され、かつ容器２１の底側２８の下にある電気接続構造３０の全部分を被覆する。この絶縁材料６９は、電力が印加されたときに、接点部材３２、３３の両方が接触された場合に起こり得る、短絡および感電に抵抗する。絶縁材料６９はまた、環境内の物質、特に水分の侵入に対する、電気接続構造３０の少なくともいくつかのシールを提供し得る。これは、発汗がモジュール８０および／または電気接続構造３０の機能に影響を及ぼし、感電の危険性を増大させ得るため、ハウジングアセンブリ１９が運動競技衣類に接続されるときに特に有利である。絶縁材料６９は、一実施形態では被覆部材５３に使用された材料と同一材料とすることができる。絶縁材料６９および／または被覆部材５３の材料として使用され得る材料の例としては、ハウジングアセンブリ１９の構成要素に接着する一区画の材料または塗布されたコーティングが挙げられる。
【０１２４】
他の実施形態では、異なる接合材料６１を使用することによる、または縫い付けまたは締結具などの機械的接続技術を使用することによるなどの、熱プレスを利用しない異なる接続技術が、ハウジングアセンブリ１９を物品１０に接続するために使用され得る。加えて、ハウジングアセンブリ１９は、他の実施形態では非着用可能な物品１０に関して使用され得る。ハウジングアセンブリ１９は、任意の接続技術を使用して着用可能な物品１０に接続されたときに認識され得る、かつ異なるタイプの物品１０に関して使用されたときにも認識され得る、多数の利点を提供する。
【０１２５】
システム１２および／またはハウジングアセンブリ１９に関して使用可能である電子モジュール８０の例が図６２〜６４および７２に示される。図６２〜６４および７２に例示されるように、本実施形態のモジュール８０は、外部コネクタ８１を支持し、かつ１つ以上の電子構成要素８２を含有する、ケーシング８７を含む。外部コネクタ８１は、モジュール８０の意図される用途に応じて様々な構成を有し得る。図６２〜６４および７２の実施形態では、コネクタ８１は、複数の端子８３を含むＵＳＢ形式コネクタであり、これは、充電および／またはポートに接続されたコンピュータデバイスとの通信などのために、ＵＳＢポートに接続され得る。図９２および９３は、モジュール８０の実施形態を概略的に例示する。電子構成要素８２は、一実施形態では少なくとも電源９０を含み得、プロセッサ９１、メモリ９２、入力出力デバイス（Ｉ／Ｏ）９３、送信機／受信機（ＴＸ／ＲＸ）９４、ならびに／または図９２および９３に例示され、以下により詳細に説明される他の構成要素を含む、追加の電子構成要素を含み得る。図９２は、モジュール８０が給電のみの使用のために構成され、データ収集、性能監視、または通信用ではない、一実施形態を例示する。本実施形態では、モジュール８０は、電源９０、プロセッサ９１（プリント回路基板の形態であり得る）、および以下により詳細に説明される磁気センサ８６を含む。メモリなどの他の構成要素が、他の実施形態に含められてもよい。図９３は、モジュール８０が、給電、ならびにデータ収集、性能監視、および／または通信を含む、複数の機能のために構成される、別の実施形態を例示する。本実施形態では、モジュール８０は、メモリ９２、Ｉ／Ｏ９３、およびＴＸ／ＲＸ９４を追加的に含む。モジュール８０は、簡潔さのために例示されない本明細書に説明されるセンサなどの追加の構成要素を含んでもよく、モジュール８０が他の実施形態で追加または代替の構成要素をさらに含んでもよいことが理解される。
【０１２６】
コネクタ８１は、モジュール８０の１つ以上の電子構成要素８２に接続され得る。例えば、図６２〜６４および７３の実施形態では、モジュール８０は、コネクタ８１を介した電力出力を提供するように構成され、コネクタ８１は、図９２および９３に示されるように、そうするために電源９０に接続される。加えて、図６２〜６４および７３の実施形態では、コネクタ８１は、複数の端子８３（示される実施形態では４つ）を有し、端子８３の２つのみが、インターフェース３１によってアクティブに係合され、そのため、追加の端子８３は、係合されない。より具体的には、図６３〜７５の実施形態では、インターフェース３１は、２つの電気接点３４（電源および接地）を含み、図６２〜６４および図７３のモジュール８０がハウジング２０内に挿入されたとき、電源接点３４は、第１の端子８３を係合させ、接地接点３４は、コネクタ８１の複数の端子８３のうちの第２の端子８３を係合させる。本構成では、モジュール８０の電源９０は、２つのアクティブ端子８３を介して電源および接地接点３４を通して給電するように構成され、コネクタ８１の端子８３の残りは、図９２に例示されるように、非アクティブであるか、またはインターフェース３１によってアクティブに係合されない。本構成は、コネクタ８１が、コンピュータデバイスのＵＳＢポート内への挿入のために構成されるＵＳＢ形式コネクタとして構成され、一方でまた、２つの電気接点３４のみを用いてインターフェース３１を通して給電するように機能することを可能にする。
【０１２７】
別の実施形態では、モジュール８０は、追加的または代替的に、コネクタ８１を通してデータ、命令、および他の情報を送受信するように構成され得る。本実施形態のコネクタ８１は、図９３に示されるように、この機能を可能にするために、プロセッサ９１、メモリ９２、ＴＸ／ＲＸ９４、および／または他の構成要素に接続され得る。例えば、モジュール８０およびコネクタ８１は、とりわけ、運動センサ（例えば、加速度計、ジャイロスコープ、力センサ、角速度センサ、方位磁石など）、場所判定デバイス（例えば、ＧＰＳ）、光（非可視光を含む）センサ、温度センサ（周囲温度および／または体温を含む）、睡眠パターンセンサ、心拍数モニタ、画像捕捉センサ、および／または湿度センサなどの、インターフェースと通信する他の構成要素からインターフェース３１を通してデータを受信するように構成され得る。別の例として、モジュール８０およびコネクタ８１はまた、インターフェース３１を通して命令を送信して、インターフェース３１と通信する他の構成要素を制御するように構成され得る。さらなる例として、モジュール８０およびコネクタ８１は、上記のように、ハウジング２０からのモジュール８０の取り外し、およびポート内へのコネクタ８１の挿入などによって、別のコンピュータデバイス上のポートを介した通信のために構成され得る。他の構成要素とのそのような通信が、他の実施形態では無線でまたは複数のコネクタ８１の使用によって達成され得ることが理解される。
【０１２８】
モジュール８０は、電子構成要素８２の動作を制御するように構成される１つ以上のボタン８４をさらに含み得る。例えば、図６２〜６４の実施形態では、モジュール８０は、コネクタ８１を介した電源９０の出力をアクティブ化または非アクティブ化するために、「電源」ボタンとして使用するように構成された単一ボタン８４を含む。モジュール８０のケーシング８７およびコネクタ８１、ならびに存在する場合、ボタン８４はまた、水分の侵入に対してシールされ得、これは、運動競技用途の物品１０に関して使用されるときに特に有利であり得る。一実施形態では、シールは、ケーシング８７内の任意の接合部８５の周囲、およびケーシング８７と端子８３またはボタン８４との間の任意の接合部の周囲を超音波溶接することによって達成され得る。
【０１２９】
ハウジング２０は、モジュール８０がハウジング２０内に受容されたときに、モジュール８０を物理的および電気的に係合させる構造を含む。モジュール８０のコネクタ８１を物理的および電気的に係合させるように機能するインターフェース３１およびその電気接点３４は、上記のとおりである。キャリア４０は、図７３に示されるように、コネクタ８１の端の上、底および側部を係合させる。本構成では、棚板４６およびベース４８は、コネクタ８１の上および底を係合させ、棚板４６、柱４７、およびベース４８は、コネクタ８１の端を受容するように構成された受容部５７を画定するように結合する。キャリア４０はまた、棚板４６とベース４８との間に延在して受容部５７の側部をさらに画定する側壁５８を有する。容器２１の壁２３はまた、容器２１の上側２７および底側２８上の壁２３、ならびに容器２１の側部上の隣接壁２３を含む、本実施形態の受容部５７の一部分を画定する。キャリア４０のベース４８および容器２１の底側２８上の壁２３は、受容部５７内に誘導する傾斜表面５９を作成するように結合し、容器２１の上側２７上の壁２３は、コネクタ８１の挿入を容易にするように、傾斜表面５９を同様に画定する。受容部５７および受容部５７を画定する構造はまた、コネクタ８１を意図しない短絡、泥、粉塵、水分などから保護するために、コネクタ８１を包囲する。アクセス開口部２４の少なくとも一部分の周囲のリップ２５は、図６３〜６４に例示されるように、モジュール８０をチャンバ２２内に保持するようにモジュール８０をさらに係合させる。本実施形態では、リップ２５は、アクセス開口部２４の一部分のみの周囲に内向きに延在し、インターフェース３１の反対の開口部２４の端５６の横断、および端５６に隣接する開口部２４の各側部２４の一部分の下降を含む。このように構成されると、受容部５７の周囲のキャリア４０および容器２１の構造は、モジュール８０のコネクタ８１を保持し、リップ２５は、コネクタ８１の反対のモジュール８０の端を保持し、したがって、安定した複数点保持構造をもたらす。他の実施形態では、モジュール８０は、異なる接続および保持構造を使用して、他の手段でハウジング２０によって係合および保持されてもよい。
【０１３０】
モジュール８０は、モジュール８０がハウジング２０および／またはインターフェース３１と係合されていないときに、コネクタ８１の端子８３のアクティブ化を防止するように機能するロックアウト特徴を有して構成され得る。図６２〜７５の実施形態では、モジュール８０は、磁石５０に近接したときに磁石５０を検出するように構成される、ホール効果センサなどの磁気センサ８６を含む。磁気センサ８６は、図７２に概略的に示され、磁石５０の磁場は、磁場がチャンバ２２内に延在し、かつモジュール８０がチャンバ２２内に受容されたときにセンサ８６によって検出可能であるために十分である。本実施形態のモジュール８０は、センサ８６が磁石５０を検知しないときにコネクタ８１を非アクティブ化し、かつセンサ８６が磁石５０を検知したときにコネクタ８１をアクティブ化するように構成される。モジュール８０は、コネクタがアクティブ化されたとき、すなわち、モジュール８０がハウジング２０およびそのインターフェース３１と係合されたとき、端子８３を通して電源９０から給電するのみである。このロックアウト特徴は、モジュール８０が容器２１の外側でアクティブであるときに、ユーザが端子８３の両方に接触した場合、短絡または感電が起こり得るため、モジュール８０の安全性を向上させる。
【０１３１】
本明細書に説明される運動競技バンドおよび他の衣服の物品、ハウジング、ならびにモジュールの様々な実施形態は、既存の技術を超える利益を提供する。例えば、モジュールおよびそれが受容されるポケットの構成は、生理学的センサをユーザの皮膚に近接して配置するように動作することができ、これは、そのようなセンサがユーザの生理学的データを捕捉する能力を増強することができる。別の例として、本明細書に説明されるバンドおよび／またはハウジングの構造は、本明細書に説明されるおよび／または当業者によって認識される利益の中でも、付属肢にかつそこから、迅速かつ容易にバンドを引っ張ることを行うために弾性材料の伸縮を制御することができ、使用中のバンドの滑りを防止することを補助することができ、使用中の電子モジュールからの水分の通過を容易にすることができ、そして、バンドの耐久性および耐水洗性を向上することができる。さらなる例として、本明細書に説明される追加の入力デバイスは、外部デバイスとの通信および相互作用に関する増強された能力と、競技中または他の運動競技イベント中に運動選手によるそのような外部デバイスの活動中動作およびそれとの通信のための単純なインターフェースと、を提供する。本明細書に説明される製造方法の様々な実施形態もまた、既存の技術を超える利益を提供する。例えば、本明細書に説明されるバンドの製造方法は、効率的に生産することができる耐久性のある構造をもたらす。本明細書に説明されるモジュール、入力デバイス、および外部デバイスの動作のための様々な方法は、モジュールの性能監視動作を増強することができ、バンドおよびモジュールの使用に関してユーザに増強された機能性を提供することができる。またさらなる利益が当業者によって認識される。
【０１３２】
いくつかの代替的な実施形態および例が本明細書に説明および例示されてきた。当業者は、個々の実施形態の特徴、可能な組み合わせおよび構成要素の変形を理解するであろう。当業者は、実施形態のいずれかが、本明細書に説明された他の実施形態との任意の組み合わせで提供され得ることをさらに理解するであろう。本発明が、その概念または中心的な特性から逸脱せずに、他の特定の形態で具現化され得ることが理解される。それゆえに、本例および実施形態は、全ての点において、例示的であり、制約的ではないように考慮されるべきであり、本発明は、本明細書に与えられた詳細に限定されるべきではない。本明細書に使用される「第１」、「第２」、「上」、「底」などの用語は、例示的な目的のみを意図し、決して実施形態を限定するものではない。加えて、本明細書に使用される「複数」という用語は、非結合的または結合的のいずれかにおいて、必要に応じて、無限数までの１を超える任意の数を示す。さらに、本明細書に使用される、物品または装置を「提供する」という用語は、物品に対して実施されることになる将来的な作用に対して物品を利用可能またはアクセス可能にすることを幅広く意味し、物品を提供する当事者が物品を製造、生産、もしくは供給したこと、または物品を提供する当事者が物品の所有権または支配を有することを暗示するものではない。したがって、特定の実施形態が例示および説明されてきたが、多数の修正が、本発明の概念から著しく逸脱せずに想到される。
【図１】
2020517009.tif 000003
【図２】
2020517009.tif 000004
【図３】
2020517009.tif 000005
【図４】
2020517009.tif 000006
【図５】
2020517009.tif 000007
【図６】
2020517009.tif 000008
【図７】
2020517009.tif 000009
【図８】
2020517009.tif 000010
【図９】
2020517009.tif 000011
【図１０】
2020517009.tif 000012
【図１１】
2020517009.tif 000013
【図１２】
2020517009.tif 000014
【図１３】
2020517009.tif 000015
【図１４】
2020517009.tif 000016
【図１５】
2020517009.tif 000017
【図１６】
2020517009.tif 000018
【図１７】
2020517009.tif 000019
【図１８】
2020517009.tif 000020
【図１９】
2020517009.tif 000021
【図２０】
2020517009.tif 000022
【図２１】
2020517009.tif 000023
【図２２】
2020517009.tif 000024
【図２３】
2020517009.tif 000025
【図２４】
2020517009.tif 000026
【図２５】
2020517009.tif 000027
【図２６】
2020517009.tif 000028
【図２７】
2020517009.tif 000029
【図２８】
2020517009.tif 000030
【図２９】
2020517009.tif 000031
【図３０】
2020517009.tif 000032
【図３１】
2020517009.tif 000033
【図３２】
2020517009.tif 000034
【図３３】
2020517009.tif 000035
【図３４】
2020517009.tif 000036
【図３５】
2020517009.tif 000037
【図３６】
2020517009.tif 000038
【図３７】
2020517009.tif 000039
【図３８】
2020517009.tif 000040
【図３９】
2020517009.tif 000041
【図４０】
2020517009.tif 000042
【図４１】
2020517009.tif 000043
【図４２】
2020517009.tif 000044
【図４３】
2020517009.tif 000045
【図４４】
2020517009.tif 000046
【図４５】
2020517009.tif 000047
【図４６】
2020517009.tif 000048
【図４７】
2020517009.tif 000049
【図４８】
2020517009.tif 000050
【図４９】
2020517009.tif 000051
【図５０】
2020517009.tif 000052
【図５１】
2020517009.tif 000053
【図５２】
2020517009.tif 000054
【図５３】
2020517009.tif 000055
【図５４】
2020517009.tif 000056
【図５５】
2020517009.tif 000057
【図５６】
2020517009.tif 000058
【図５７】
2020517009.tif 000059
【図５８】
2020517009.tif 000060
【図５９】
2020517009.tif 000061
【図６０】
2020517009.tif 000062
【図６１】
2020517009.tif 000063
【図６２】
2020517009.tif 000064
【図６３】
2020517009.tif 000065
【図６４】
2020517009.tif 000066
【図６５】
2020517009.tif 000067
【図６６】
2020517009.tif 000068
【図６７】
2020517009.tif 000069
【図６８】
2020517009.tif 000070
【図６９】
2020517009.tif 000071
【図７０】
2020517009.tif 000072
【図７１】
2020517009.tif 000073
【図７２】
2020517009.tif 000074
【図７３】
2020517009.tif 000075
【図７４】
2020517009.tif 000076
【図７５】
2020517009.tif 000077
【図７６】
2020517009.tif 000078
【図７７】
2020517009.tif 000079
【図７８】
2020517009.tif 000080
【図７９】
2020517009.tif 000081
【図８０】
2020517009.tif 000082
【図８１】
2020517009.tif 000083
【図８２】
2020517009.tif 000084
【図８３】
2020517009.tif 000085
【図８４】
2020517009.tif 000086
【図８５】
2020517009.tif 000087
【図８６】
2020517009.tif 000088
【図８７】
2020517009.tif 000089
【図８８】
2020517009.tif 000090
【図８９】
2020517009.tif 000091
【図９０】
2020517009.tif 000092
【図９１】
2020517009.tif 000093
【図９２】
2020517009.tif 000094
【図９３】
2020517009.tif 000095
【国際調査報告】
2020517009.tif 000096
2020517009.tif 000097